(57)【要約】  本発明は、Ｘ２プロキシを実現する方法およびシステムを開示する。当該方法は、次ホップノードを前ホップノードのＸ２プロキシ機能として活性化することと（３００）と、前記前ホップノードと前記次ホップノードを含む二つ以上のＸ２プロキシを介して、初期ノードとターゲットノードの間でＸ２メッセージのインタラクションを実現することと（３０１）とを含む。【選択図】図３
2016511570.tif 000002
【特許請求の範囲】
【請求項１】
Ｘ２プロキシを実現する方法であって、
次ホップノードを前ホップノードのＸ２プロキシ機能として活性化することと、
前記前ホップノードと前記次ホップノードを含む二つ以上のＸ２プロキシを介して、初期ノードとターゲットノードの間でＸ２メッセージのインタラクションを実現することとを含む、前記方法。
【請求項２】
次ホップノードを前ホップノードのＸ２プロキシ機能として活性化することは、
前記前ホップノードと前記次ホップノードの間でＸ２接続を確立する過程中のメッセージに活性化指示を含ませることによって、前記次ホップノードを前記前ホップノードのＸ２プロキシ機能として活性化すること、または、
前記開始ノードで前記前ホップノードから前記次ホップノードにハンドオーバする過程中のメッセージに活性化指示を含ませることによって、前記次ホップノードを前記前ホップノードのＸ２プロキシ機能として活性化すること、または、
前記前ホップノードと前記次ホップノードの間で基地局構成更新を行う過程中のメッセージに活性化指示を含ませることによって、前記次ホップノードを前記前ホップノードのＸ２プロキシ機能として活性化することを含むことを特徴とする
請求項１に記載の方法。
【請求項３】
前記前ホップノードと前記次ホップノードの間でＸ２接続を確立する過程中のメッセージに活性化指示を含ませることによって、前記次ホップノードを前記前ホップノードのＸ２プロキシ機能として活性化することは、
前記前ホップノードが前記次ホップノードへ前記前ホップノードのＸ２プロキシ機能として活性化する指示を含むＸ２確立要求メッセージを送信し、
前記次ホップノードがＸ２確立要求メッセージを受信した後、前記前ホップノードへＸ２確立応答メッセージを返信することであることを特徴とする
請求項２に記載の方法。
【請求項４】
前記ハンドオーバ過程がＸ２ハンドオーバ過程であり、前記初期ノードで前記前ホップノードから前記次ホップノードにハンドオーバする過程中のメッセージに活性化指示を含ませることによって、前記次ホップノードを前記前ホップノードのＸ２プロキシ機能として活性化することは、
前記前ホップノードが前記次ホップノードへ前記前ホップノードのＸ２プロキシ機能として活性化する指示を含むＸ２ハンドオーバ要求メッセージを送信し、
前記次ホップノードがＸ２ハンドオーバ要求メッセージを受信した後、前記前ホップノードへＸ２ハンドオーバ応答メッセージを返信すること、または、
前記初期ノードが前記次ホップノードへ前記前ホップノードのＸ２プロキシ機能として活性化する指示を含む無線リソース制御プロトコル（ＲＲＣ）接続再構成完了メッセージを送信することであることを特徴とする
請求項２に記載の方法。
【請求項５】
前記ハンドオーバ過程がＳ１ハンドオーバ過程であり、前記初期ノードで前記前ホップノードから前記次ホップノードにハンドオーバする過程中のメッセージに活性化指示を含ませることによって、前記次ホップノードを前記前ホップノードのＸ２プロキシ機能として活性化することは、
前記前ホップノードが順次に前記初期ノードのソース移動管理エンティティ（ＭＭＥ）および前記初期ノードのターゲットＭＭＥを介して、前記次ホップノードへ前記前ホップノードのＸ２プロキシ機能として活性化する指示を含むＳ１ハンドオーバ要求メッセージを送信し、
前記次ホップノードがＳ１ハンドオーバ要求メッセージを受信した後、順次に前記ターゲットＭＭＥおよび前記ソースＭＭＥを介して、前記前ホップノードへＳ１ハンドオーバ応答メッセージを返信すること、または、
前記初期ノードが前記次ホップノードへ前記前ホップノードのＸ２プロキシ機能として活性化する指示を含むＲＲＣ接続再構成完了メッセージを送信することであることを特徴とする
請求項２に記載の方法。
【請求項６】
前記前ホップノードと前記次ホップノードの間で基地局構成更新を行う過程中のメッセージに活性化指示を含ませることによって、前記次ホップノードを前記前ホップノードのＸ２プロキシ機能として活性化することは、
前記前ホップノードが前記次ホップノードへ前記前ホップノードのＸ２プロキシ機能として活性化する指示を含む基地局構成更新メッセージを送信し、
前記次ホップノードが基地局構成更新メッセージを受信した後、前記前ホップノードへ基地局構成更新確認メッセージまたは基地局構成更新失敗メッセージを返信することであることを特徴とする
請求項２に記載の方法。
【請求項７】
前記Ｘ２確立応答メッセージは、Ｘ２プロキシ活性化確認指示を含み、
前記Ｘ２ハンドオーバ応答メッセージは、Ｘ２プロキシ活性化確認指示を含み、
前記Ｓ１ハンドオーバ応答メッセージは、Ｘ２プロキシ活性化確認指示を含み、
前記基地局構成更新確認メッセージは、Ｘ２プロキシ活性化確認指示を含み、
前記基地局構成更新失敗メッセージは、Ｘ２プロキシ活性化確認指示を含むことを特徴とする
請求項３〜６のいずれか１項に記載の方法。
【請求項８】
前記前ホップノードと前記次ホップノードを含む二つ以上のＸ２プロキシを介して、初期ノードとターゲットノードの間でＸ２メッセージのインタラクションを実現することは、
前記初期ノードが第一のホップノードへＸ２メッセージを送信することと、
前記第一のホップノードが、受信されたＸ２メッセージに対してＸ２プロキシ処理を行い、そして第二のホップノードへ対応するＸ２メッセージを送信し、最後のホップノードが受信されたＸ２メッセージに対してＸ２プロキシ処理を行い、そして前記ターゲットノードへ対応するＸ２メッセージを送信するまで、これによって類推すること、および／または、
前記最後のホップノードが受信された前記ターゲットノードからのＸ２メッセージに対してＸ２プロキシ処理を行い、そして最後から２番目のホップノードへ対応するＸ２メッセージを送信し、前記第一のホップノードが受信されたＸ２メッセージに対してＸ２プロキシ処理を行い、そして前記初期ノードへ対応するＸ２メッセージを送信するまで、これによって類推することを含むことを特徴とする
請求項１〜６のいずれか１項に記載の方法。
【請求項９】
前記受信されたＸ２メッセージに対してＸ２プロキシ処理を行うことは、
ユーザ装置（ＵＥ）に新しいアプリケーション層識別子を割り当てて、受信されたＸ２メッセージにおけるＵＥのアプリケーション層識別子の代わりに自体に割当てられたアプリケーション層識別子を使用すること、および／または、
受信されたＸ２メッセージにおけるソースノード識別子の代わりに自ノード識別子を使用すること、および／または、
受信されたＸ２メッセージにおけるソースノードインターネットプロトコル（ＩＰ）アドレスの代わりに自ノードＩＰアドレスを使用することを含むことを特徴とする
請求項８に記載の方法。
【請求項１０】
前記ターゲットノードのタイプは、発展型基地局（ｅＮＢ）、中継ノード（ＲＮ）、移動中継（ＭＲ）、ホーム基地局（ＨｅＮＢ）およびマイクロ基地局を含むことを特徴とする
請求項１〜６のいずれか１項に記載の方法。
【請求項１１】
前記次ホップノードを前記前ホップノードのＸ２プロキシ機能として非活性化することをさらに含むことを特徴とする
請求項１〜６のいずれか１項に記載の方法。
【請求項１２】
前記次ホップノードを前記前ホップノードのＸ２プロキシ機能として非活性化することは、
前記前ホップノードが前記次ホップノードへ前記前ホップノードのＸ２プロキシ機能として非活性化する指示を含むＸ２プロキシ解放／非活性化要求メッセージを送信すること、または、
前記前ホップノードと前記次ホップノードの間で基地局構成更新を行う過程中のメッセージに非活性化指示を含ませることによって、前記次ホップノードを前記前ホップノードのＸ２プロキシ機能として非活性化することを含むことを特徴とする
請求項１１に記載の方法。
【請求項１３】
前記次ホップノードが前記前ホップノードのＸ２プロキシ機能として非活性化する指示を含むＸ２プロキシ解放／非活性化要求メッセージを受信した後、前記前ホップノードへＸ２プロキシ解放／非活性化応答メッセージを返信することをさらに含む、または、
前記前ホップノードと前記次ホップノードの間で基地局構成更新を行う過程中のメッセージに非活性化指示を含ませることによって、前記次ホップノードを前記前ホップノードのＸ２プロキシ機能として非活性化することは、
前記前ホップノードが前記次ホップノードへ前記前ホップノードのＸ２プロキシ機能として非活性化する指示を含む基地局構成更新メッセージを送信し、
前記次ホップノードが基地局構成更新メッセージを受信した後、前記前ホップノードへ基地局更新確認メッセージまたは基地局構成更新失敗メッセージを返信することであることを特徴とする
請求項１２に記載の方法。
【請求項１４】
前記Ｘ２プロキシ解放／非活性化応答メッセージは、Ｘ２プロキシ非活性化確認指示を含む、または、
前記基地局構成更新確認メッセージは、Ｘ２プロキシ非活性化確認指示を含み、
前記基地局構成失敗メッセージは、Ｘ２プロキシ非活性化確認指示を含むことを特徴とする
請求項１３に記載の方法。
【請求項１５】
Ｘ２プロキシを実現するシステムであって、初期ノード、前ホップノード、次ホップノードおよびターゲットノードを含み、
初期ノードは、前記前ホップノードおよび前記前ホップノードのＸ２プロキシ機能として活性化された次ホップノードを含む二つ以上のＸ２プロキシを介して、前記ターゲットノードとのＸ２メッセージのインタラクションを実現するように構成される、前記システム。
【請求項１６】
前記前ホップノードと前記次ホップノードの間でＸ２接続を確立する過程中のメッセージに活性化指示を含ませることによって、前記次ホップノードを前記前ホップノードのＸ２プロキシ機能として活性化する場合、前記前ホップノードは、前記次ホップノードへ前記前ホップノードのＸ２プロキシ機能として活性化する指示を含むＸ２確立要求メッセージを送信し、そして前記次ホップノードから送信されたＸ２確立応答メッセージを受信するように構成され、
前記次ホップノードは、前記前ホップノードから送信された、前記前ホップノードのＸ２プロキシ機能として活性化する指示を含むＸ２確立要求メッセージを受信した後、前記前ホップノードへＸ２確立応答メッセージを返信するように構成されることを特徴とする
請求項１５に記載のシステム。
【請求項１７】
前記初期ノードで前記前ホップノードから前記次ホップノードにハンドオーバする過程中のメッセージに活性化指示を含ませることによって、前記次ホップノードを前記前ホップノードのＸ２プロキシ機能として活性化し、且つ前記ハンドオーバ過程がＸ２ハンドオーバ過程である場合、前記前ホップノードは、前記次ホップノードへ前記前ホップノードのＸ２プロキシ機能として活性化する指示を含むＸ２ハンドオーバ要求メッセージを送信し、そして前記次ホップノードから返信されたＸ２ハンドオーバ応答メッセージを受信するように構成され、
前記次ホップノードは、前記前ホップノードから送信された、前記前ホップノードのＸ２プロキシ機能として活性化する指示を含むＸ２ハンドオーバ要求メッセージを受信した後、前記前ホップノードへＸ２ハンドオーバ応答メッセージを返信するように構成される、または、
前記初期ノードは、さらに前記次ホップノードへ前記前ホップノードのＸ２プロキシ機能として活性化する指示を含むＲＲＣ接続再構成完了メッセージを送信するように構成され、
前記次ホップノードは、前記初期ノードから送信された前記前ホップノードのＸ２プロキシ機能として活性化する指示を含むＲＲＣ接続再構成完了メッセージを受信するように構成されることを特徴とする
請求項１５に記載のシステム。
【請求項１８】
前記初期ノードで前記前ホップノードから前記次ホップノードにハンドオーバする過程中のメッセージに活性化指示を含ませることによって、前記次ホップノードを前記前ホップノードのＸ２プロキシ機能として活性化し、且つ前記ハンドオーバ過程がＳ１ハンドオーバ過程である場合、前記システムは、ソースＭＭＥおよびターゲットＭＭＥをさらに含み、
前記前ホップノードは、順次に前記ソースＭＭＥおよび前記ターゲットＭＭＥを介して、前記次ホップノードへ前記前ホップノードのＸ２プロキシ機能として活性化する指示を含むＳ１ハンドオーバ要求メッセージを送信し、そして前記次ホップノードが順次に前記ターゲットＭＭＥおよび前記ソースＭＭＥを介して返信したＳ１ハンドオーバ応答メッセージを受信するように構成され、
前記次ホップノードは、前記前ホップノードが順次に前記ソースＭＭＥおよび前記ターゲットＭＭＥを介して送信した、前記前ホップノードのＸ２プロキシ機能として活性化する指示を含むＳ１ハンドオーバ要求メッセージを受信した後、順次に前記ターゲットＭＭＥおよび前記ソースＭＭＥを介して、前記前ホップノードへＳ１ハンドオーバ応答メッセージを返信するように構成される、または、
前記初期ノードは、さらに前記次ホップノードへ前記前ホップノードのＸ２プロキシ機能として活性化する指示を含むＲＲＣ接続再構成完了メッセージを送信するように構成され、
前記次ホップノードが前記初期ノードから送信された、前記前ホップノードのＸ２プロキシ機能として活性化する指示を含むＲＲＣ接続再構成完了メッセージを受信するように構成されることを特徴とする
請求項１５に記載のシステム。
【請求項１９】
前記前ホップノードと前記次ホップノードの間で基地局構成更新を行う過程中のメッセージに活性化指示を含ませることによって、前記次ホップノードを前記前ホップノードのＸ２プロキシ機能として活性化する場合、前記前ホップノードは、前記次ホップノードへ前記初期ＤｅＮＢのＸ２プロキシ機能として活性化する指示を含む基地局構成更新メッセージを送信し、そして前記次ホップノードから返信された基地局構成更新確認メッセージまたは基地局構成更新失敗メッセージを受信するように構成され、
前記次ホップノードは、前記前ホップノードから送信された、前記前ホップノードのＸ２プロキシ機能として活性化する指示を含む基地局構成更新メッセージを受信した後、前記前ホップノードへ基地局構成更新確認メッセージまたは基地局構成更新失敗メッセージを返信するように構成されることを特徴とする
請求項１５に記載のシステム。
【請求項２０】
前記Ｘ２確立応答メッセージは、Ｘ２プロキシ活性化確認指示を含み、
前記Ｘ２ハンドオーバ応答メッセージは、Ｘ２プロキシ活性化確認指示を含み、
前記Ｓ１ハンドオーバ応答メッセージは、Ｘ２プロキシ活性化確認指示を含み、
前記基地局構成更新確認メッセージは、Ｘ２プロキシ活性化確認指示を含み、
前記基地局構成更新失敗メッセージは、Ｘ２プロキシ活性化確認指示を含むことを特徴とする
請求項１６〜１９のいずれか１項に記載のシステム。
【請求項２１】
前記次ホップノードを前記前ホップノードのＸ２プロキシ機能として非活性化する場合、前記前ホップノードは、さらに前記次ホップノードへ前記前ホップノードのＸ２プロキシ機能として非活性化する指示を含むＸ２プロキシ解放／非活性化要求メッセージを送信するように構成され、
前記次ホップノードは、さらに前記前ホップノードから送信された、前記前ホップノードのＸ２プロキシ機能として非非活性化する指示を含むＸ２プロキシ解放／非活性化要求メッセージを受信するように構成される、または、
前記前ホップノードは、さらに前記次ホップノードへ前記前ホップノードのＸ２プロキシ機能として非活性化する指示を含む基地局構成更新メッセージを送信し、そして前記次ホップノードから返信された基地局構成更新確認メッセージまたは基地局更新失敗メッセージを受信するように構成され、
前記次ホップノードは、さらに前記前ホップノードから送信された、前記前ホップノードのＸ２プロキシ機能として非活性化する指示を含む基地局構成更新メッセージを受信した後、前記前ホップノードへ基地局構成更新確認メッセージまたは基地局構成更新失敗メッセージを返信するように構成されることを特徴とする
請求項１５〜１９のいずれか１項に記載のシステム。
【請求項２２】
前記次ホップノードは、さらに前記前ホップノードへＸ２プロキシ解放／非活性化応答メッセージを返信するように構成され、
前記前ホップノードは、さらに前記次ホップノードから返信されたＸ２プロキシ機能解放／非活性化応答メッセージを受信するように構成されることを特徴とする
請求項２１に記載のシステム。
【請求項２３】
前記Ｘ２プロキシ機能解放／非活性化応答メッセージは、Ｘ２プロキシ非活性確認指示を含む、または、
前記基地局構成更新確認メッセージは、Ｘ２プロキシ非活性確認指示を含み、
前記基地局構成更新失敗メッセージは、Ｘ２プロキシ非活性確認指示を含むことを特徴とする
請求項２２に記載のシステム。
【請求項２４】
コンピュータ記憶媒体であって、一組の命令を含み、前記命令を実行する場合、少なくとも１つのプロセッサが請求項１〜１４のいずれか１項に記載されたＸ２プロキシを実現する方法を実行することを引き起こす前記コンピュータ記憶媒体。
【発明の詳細な説明】
【技術分野】
【０００１】
本発明は、無線セルラー通信技術に関し、特にＸ２プロキシ（ｐｒｏｘｙ）を実現する方法およびシステムに関する。
【背景技術】
【０００２】
益々増加する広帯域幅高速移動アクセスの需要を満たすために、第三世代パートナーシッププログラム（３ＧＰＰ：Ｔｈｉｒｄ  Ｇｅｎｅｒａｔｉｏｎ  Ｐａｒｔｎｅｒｓｈｉｐ  Ｐｒｏｊｅｃｔｓ）は、高度な進化する長期発展型（ＬＴＥ−Ａｄｖａｎｃｅｄ：Ｌｏｎｇ−Ｔｅｒｍ  Ｅｖｏｌｕｔｉｏｎ  ａｄｖａｎｃｅ）標準が導入される。ＬＴＥ−Ａｄｖａｎｃｅｄは、長期発展型（ＬＴＥ：Ｌｏｎｇ−Ｔｅｒｍ  Ｅｖｏｌｕｔｉｏｎ）の発展であって、ＬＴＥのコアを保留し、これに基づいて一連の技術を用いて周波数領域と時間領域を拡張して、スペクトル利用率の向上、システム容量の増加などの目的を達成する。
【０００３】
無線中継（Ｗｉｒｅｌｅｓｓ  Ｒｅｌａｙ）技術は、ＬＴＥ−Ａｄｖａｎｃｅｄにおける技術のうちの一つであって、セルカバレッジを拡大し、通信中の不感領域の減少、負荷バランシング、ホットスポット地域のサービスの移転およびユーザ装置（ＵＥ：Ｕｓｅｒ  Ｅｑｕｉｐｍｅｎｔ）の送信電力の節約を目的とする。Ｗｉｒｅｌｅｓｓ  Ｒｅｌａｙ技術において、中継ノード（ＲＮ：Ｒｅｌａｙ  Ｎｏｄｅ）は、自セルにアクセスしたＵＥに一般的な発展型基地局（ｅＮＢ：ｅｖｏｌｖｅｄ  Ｎｏｄｅ  Ｂ）と同様な機能とサービスを提供し、また無線インターフェースを介して一般的なＵＥと同様なモードでそれにサービングするｅＮＢにアクセスする。ここで、ＲＮにサービングするｅＮＢは、ドナーｅＮＢ（ＤｅＮＢ：Ｄｏｎｏｒ  ｅＮＢ）と呼ばれることができ、ＤｅＮＢが移動管理エンティティ（ＭＭＥ：Ｍｏｂｉｌｉｔｙ  Ｍａｎａｇｅｍｅｎｔ  Ｅｎｔｉｔｙ）と接続する。図１に示すように、ＤｅＮＢには、サービングゲートウェイ（Ｓ−ＧＷ：Ｓｅｒｖｉｎｇ  Ｇａｔｅｗａｙ）およびパケットデータゲートウェイ（Ｐ−ＧＷ：Ｐａｃｋｅｔ  Ｄａｔａ  Ｎｅｔｗｏｒｋ  Ｇａｔｅｗａｙ）機能が内蔵され、同時に中継（Ｒｅｌａｙ）ゲートウェイ（ＧＷ：Ｇａｔｅｗａｙ）機能もある。ＲＮがＤｅＮＢにアクセスする場合、ＭＭＥは、ＲＮのためにＤｅＮＢに位置するローカルＳ−ＧＷおよびＰ−ＧＷを選択する。Ｓ−ＧＷは、基地局とＰ−ＧＷの間のデータ情報の伝送、転送およびルーティングなどを担当し、下りリンクデータパケットにキャッシュを提供する。Ｐ−ＧＷは、データ搬送のアンカーポイントであって、データパケットの転送、解析、合法的盗聴、サービスに基づく課金およびサービス品質（ＱｏＳ：Ｑｕａｌｉｔｙ  ｏｆ  Ｓｅｒｖｉｃｅ）制御を担当する。Ｒｅｌａｙ  ＧＷは、Ｓ１／Ｘ２プロキシ機能を備え、ＵＥに関連するＳ１／Ｘ２シグナリングの処理、異なるＵＥのシグナリングの区分、正確なメッセージ処理を担当する。例えば、固定された中継シナリオにおいて、ＲＮ１などの複数のＲＮが含まれ、Ｘ２プロキシ機能は、ＤｅＮＢとＲＮ１の間にＸ２インターフェースがあり、ＤｅＮＢと周辺の隣接するｅＮＢまたは他のＲＮの間にもＸ２インターフェースがあり、Ｒｅｌａｙ  ＧＷ機能を備えるＤｅＮＢがＲＮ１のＸ２メッセージを受信した場合、当該Ｘ２メッセージにおけるセルメッセージに基づいて、どの隣接するｅＮＢまたはＲＮへ関連するＸ２メッセージを伝送するかを決定することである。ここで、受信されたＸ２メッセージにＵＥアプリケーション層プロトコル識別子が含まれると、ＤｅＮＢは、当該ＵＥに新しいＵＥアプリケーション層プロトコル識別子を割り当てるまたは当該メッセージに含まれるＵＥアプリケーション層プロトコル識別子の代わりに当該ＵＥに割り当てられたＵＥアプリケーション層プロトコル識別子を使用し、そしてＤｅＮＢにより割り当てられたＵＥアプリケーション層プロトコル識別子として他の隣接するｅＮＢへ送信されたＸ２メッセージに含ませる。それに応じて、Ｒｅｌａｙ  ＧＷ機能を備えるＤｅＮＢが他のｅＮＢまたはＲＮ１以外のＲＮからのＸ２メッセージを受信した場合、当該Ｘ２メッセージにおけるセルメッセージに基づいて、ＲＮ１へ関連するＸ２メッセージを送信するかどうかを決定する。ここで、受信されたＸ２メッセージにＵＥアプリケーション層プロトコル識別子が含まれると、ＤｅＮＢは、当該ＵＥに新しいＵＥアプリケーション層プロトコル識別子を割り当てるまたは当該メッセージに含まれるＵＥアプリケーション層プロトコル識別子の代わりに当該ＵＥに割り当てられたＵＥアプリケーション層プロトコル識別子を使用し、そしてＤｅＮＢにより割り当てられたＵＥアプリケーション層プロトコル識別子としてＲＮ１へ送信されたＸ２メッセージに含ませる。例えば、受信されたＸ２メッセージにターゲットセルＲＮ１が表示されると、ＲＮ１へ対応するＸ２メッセージを送信する。例えば、受信されたＸ２メッセージが基地局構成更新メッセージであると、ＲＮ１へ基地局構成更新メッセージを送信する。このようなＸ２プロキシで、ＲＮと他の隣接するｅＮＢまたはＲＮの間の情報伝送を実現する。ＲＮとＲｅｌａｙ  ＧＷ機能を備えるＤｅＮＢの間のＳ１／Ｘ２シグナリングがＲＮにより無線で搬送され、ＲＮ  ＳＧＷ／ＰＧＷによりルーティングされて転送されて伝送される。
【０００４】
高速鉄道の大規模な建設および運転に伴い、列車における通信需要が増加している。現在の高速鉄道列車の実用的な速度が３５０キロ／時間に達し、ドップラーシフト、セルの頻繁なハンドオーバ、および高速鉄道列車車室侵入損失が大きいなどの影響を受けるので、従来のネットワーク基地局のカバレッジは、高速鉄道列車の通信需要を満たすことが困難である。したがって、高速鉄道列車に移動中継（ＭＲ：Ｍｏｂｉｌｅ  Ｒｅｌａｙ）と呼ばれる中継ノードを配置することが業界において提案され、図２がＭＲの配置シナリオを示す図であり、図２に示すように、高速鉄道列車でのユーザ、例えばＵＥ１とＵＥ２が直接に比較的静的なＭＲと通信することになり、ＭＲが高速鉄道列車に伴って移動する過程に異なるＤｅＮＢの間にハンドオーバすることができ、それによって高速鉄道列車車室における大量のユーザの同時のハンドオーバを避け、ＵＥとＭＲの間の通信品質を保証する。また、移動中継ＭＲとＤｅＮＢの間のバックボーン接続を増強することにより、高速鉄道列車に存在する上記問題をより良く解決することができる。
【０００５】
ＭＲシナリオに対して、現在、複数のアーキテクチャが提案され、リダイレクトされない（ｗｉｔｈｉｏｕｔ  ｒｅｌｏｃａｔｉｏｎ）Ａｌｔ２再利用固定シナリオのアーキテクチャ、即ちＤｅＮＢにＳ−ＧＷ、Ｐ−ＧＷおよびＲｅｌａｙ  ＧＷ機能が内蔵されるアーキテクチャにおいて、ＭＲが初期（Ｉｎｉｔｉａｌ）ＤｅＮＢにアクセスした場合、Ｘ２プロキシのプロキシモードを再利用してＭＲと他のｅＮＢとのＸ２メッセージ伝送を実現することができる。しかし、このアーキテクチャにおいて、列車の移動に伴い、ＭＲが初期ＤｅＮＢから離れて他のＤｅＮＢにハンドオーバした場合、ＭＲのＲｅｌａｙ  ＧＷ、ＲＮおよびＰＧＷが初期ＤｅＮＢに常駐し、初期ＤｅＮＢがＭＲの現在の位置に遠く、且つ初期ＤｅＮＢとＭＲの隣接するｅＮＢの間にＸ２インターフェースが存在しないかもしれなく、従って、この場合で、初期ＤｅＮＢのＸ２プロキシ機能がＭＲとこれらのｅＮＢとの間に役割を果たすことができないかもしれなく、これによりＭＲと他のｅＮＢとの間のＸ２メッセージ伝送に影響を与えて、さらにユーザ体験を低下させる。
【０００６】
ホーム基地局（ＨｅＮＢ：Ｈｏｍｅ  Ｅｖｏｌｖｅｄ  Ｎｏｄｅ  Ｂ）シナリオにおいて、ＨｅＮＢに隣接するｅＮＢまたはＨｅＮＢがＸ２プロキシにより情報インタラクションを行う場合、上記の同様な問題が発生するかもしれなく、ＨｅＮＢと他のｅＮＢまたはＨｅＮＢとの間のＸ２メッセージ伝送に影響を与える。ＨｅＮＢシナリオにおいて、Ｘ２プロキシは、Ｘ２  Ｇａｔｅｗａｙと呼ばれてもよく、移動中継シナリオにおけるＸ２プロキシと同様な機能を備える。
【発明の概要】
【０００７】
従来の技術問題を解決するために、本発明の実施形態は、Ｘ２プロキシを実現する方法およびシステムを提供する。
【０００８】
Ｘ２プロキシを実現する方法は、
次ホップノードを前ホップノードのＸ２プロキシ機能として活性化することと、
前記前ホップノードと前記次ホップノードを含む二つ以上のＸ２プロキシを介して、初期ノードとターゲットノードの間でＸ２メッセージのインタラクションを実現することとを含む。
【０００９】
次ホップノードを前ホップノードのＸ２プロキシ機能として活性化することは、
前記前ホップノードと前記次ホップノードの間でＸ２接続を確立する過程中のメッセージに活性化指示を含ませることによって、前記次ホップノードを前記前ホップノードのＸ２プロキシ機能として活性化すること、または、
前記初期ノードで前記前ホップノードから前記次ホップノードにハンドオーバする過程中のメッセージに活性化指示を含ませることによって、前記次ホップノードを前記前ホップノードのＸ２プロキシ機能として活性化すること、または、
前記前ホップノードと前記次ホップノードの間で基地局構成更新を行う過程中のメッセージに活性化指示を含ませることによって、前記次ホップノードを前記前ホップノードのＸ２プロキシ機能として活性化することを含む。
【００１０】
前記前ホップノードと前記次ホップノードの間でＸ２接続を確立する過程中のメッセージに活性化指示を含ませることによって、前記次ホップノードを前記前ホップノードのＸ２プロキシ機能として活性化することは、
前記前ホップノードが前記次ホップノードへ前記前ホップノードのＸ２プロキシ機能として活性化する指示を含むＸ２確立要求メッセージを送信し、
前記次ホップノードがＸ２確立要求メッセージを受信した後、前記前ホップノードへＸ２確立応答メッセージを返信することである。
【００１１】
前記ハンドオーバ過程がＸ２ハンドオーバ過程であり、前記初期ノードで前記前ホップノードから前記次ホップノードにハンドオーバする過程中のメッセージに活性化指示を含ませることによって、前記次ホップノードを前記前ホップノードのＸ２プロキシ機能として活性化することは、
前記前ホップノードが前記次ホップノードへ前記前ホップノードのＸ２プロキシ機能として活性化する指示を含むＸ２ハンドオーバ要求メッセージを送信し、
前記次ホップノードがＸ２ハンドオーバ要求メッセージを受信した後、前記前ホップノードへＸ２ハンドオーバ応答メッセージを返信すること、または、
前記初期ノードが前記次ホップノードへ前記前ホップノードのＸ２プロキシ機能として活性化する指示を含む無線リソース制御プロトコル（ＲＲＣ：Ｒａｄｉｏ  Ｒｅｓｏｕｒｃｅ  Ｃｏｎｔｒｏｌ）接続再構成完了メッセージを送信することである。
【００１２】
前記ハンドオーバ過程がＳ１ハンドオーバ過程であり、前記初期ノードが前記前ホップノードから前記次ホップノードにハンドオーバする過程中のメッセージに活性化指示を含ませることによって、前記次ホップノードを前記前ホップノードのＸ２プロキシ機能として活性化することは、
前記前ホップノードが順次に前記初期ノードのソースＭＭＥおよび前記初期ノードのターゲットＭＭＥを介して、前記次ホップノードへ前記前ホップノードのＸ２プロキシ機能として活性化する指示を含むＳ１ハンドオーバ要求メッセージを送信し、
前記次ホップノードがＳ１ハンドオーバ要求メッセージを受信した後、順次に前記ターゲットＭＭＥおよび前記ソースＭＭＥを介して、前記前ホップノードへＳ１ハンドオーバ応答メッセージを返信すること、または、
前記初期ノードが前記次ホップノードへ前記前ホップノードのＸ２プロキシ機能として活性化する指示を含むＲＲＣ接続再構成完了メッセージを送信することである。
【００１３】
前記前ホップノードと前記次ホップノードの間で基地局構成更新を行う過程中のメッセージに活性化指示を含ませることによって、前記次ホップノードを前記前ホップノードのＸ２プロキシ機能として活性化することは、
前記前ホップノードが前記次ホップノードへ前記前ホップノードのＸ２プロキシ機能として活性化する指示を含む基地局構成更新メッセージを送信し、
前記次ホップノードが基地局構成更新メッセージを受信した後、前記前ホップノードへ基地局構成更新確認メッセージまたは基地局構成更新失敗メッセージを返信することである。
【００１４】
前記Ｘ２確立応答メッセージは、Ｘ２プロキシ活性化確認指示を含み、
前記Ｘ２ハンドオーバ応答メッセージは、Ｘ２プロキシ活性化確認指示を含み、
前記Ｓ１ハンドオーバ応答メッセージは、Ｘ２プロキシ活性化確認指示を含み、
前記基地局構成更新確認メッセージは、Ｘ２プロキシ活性化確認指示を含み、
前記基地局構成更新失敗メッセージは、Ｘ２プロキシ活性化確認指示を含む。
【００１５】
前記前ホップノードと前記次ホップノードを含む二つ以上のＸ２プロキシを介して、初期ノードとターゲットノードの間でＸ２メッセージのインタラクションを実現することは、
前記初期ノードが第一のホップノードへＸ２メッセージを送信することと、
前記第一のホップノードが、受信されたＸ２メッセージに対してＸ２プロキシ処理を行い、そして第二のホップノードへ対応するＸ２メッセージを送信し、最後のホップノードが受信されたＸ２メッセージに対してＸ２プロキシ処理を行い、そして前記ターゲットノードへ対応するＸ２メッセージを送信するまで、これによって類推すること、および／または、
前記最後のホップノードが受信された前記ターゲットノードからのＸ２メッセージに対してＸ２プロキシ処理を行い、そして最後から２番目のホップノードへ対応するＸ２メッセージを送信し、前記第一のホップノードが受信されたＸ２メッセージに対してＸ２プロキシ処理を行い、そして前記初期ノードへ対応するＸ２メッセージを送信するまで、これによって類推することを含む。
【００１６】
前記受信されたＸ２メッセージに対してＸ２プロキシ処理を行うことは、
ＵＥに新しいアプリケーション層識別子を割り当てて、受信されたＸ２メッセージにおけるＵＥのアプリケーション層識別子の代わりに自体に割当てられたアプリケーション層識別子を使用すること、および／または、
受信されたＸ２メッセージにおけるソースノード識別子の代わりに自ノード識別子を使用すること、および／または、
受信されたＸ２メッセージにおけるソースノードインターネットプロトコル（ＩＰ：Ｉｎｔｅｒｎｅｔ  Ｐｒｏｔｏｃｏｌ）アドレスの代わりに自ノードＩＰアドレスを使用することを含む。
【００１７】
前記ターゲットノードのタイプは、ｅＮＢ、ＲＮ、ＭＲ、ＨｅＮＢおよびマイクロ基地局を含む。
【００１８】
前記方法は、
前記次ホップノードを前記前ホップノードのＸ２プロキシ機能として非活性化することをさらに含む。
【００１９】
前記次ホップノードを前記前ホップノードのＸ２プロキシ機能として非活性化することは、
前記前ホップノードが前記次ホップノードへ前記前ホップノードのＸ２プロキシ機能として非活性化する指示を含むＸ２プロキシ解放／非活性化要求メッセージを送信すること、または、
前記前ホップノードと前記次ホップノードの間で基地局構成更新を行う過程中のメッセージに非活性化指示を含ませることによって、前記次ホップノードを前記前ホップノードのＸ２プロキシ機能として非活性化することを含む。
【００２０】
前記方法は、
前記次ホップノードが前記前ホップノードのＸ２プロキシ機能として非活性化する指示を含むＸ２プロキシ解放／非活性化要求メッセージを受信した後、前記前ホップノードへＸ２プロキシ解放／非活性化応答メッセージを返信することをさらに含み、または、
前記前ホップノードと前記次ホップノードの間で基地局構成更新を行う過程中のメッセージに非活性化指示を含ませることによって、前記次ホップノードを前記前ホップノードのＸ２プロキシ機能として非活性化することは、
前記前ホップノードが前記次ホップノードへ前記前ホップノードのＸ２プロキシ機能として非活性化する指示を含む基地局構成更新メッセージを送信し、
前記次ホップノードが基地局構成更新メッセージを受信した後、前記前ホップノードへ基地局更新確認メッセージまたは基地局構成更新失敗メッセージを返信することである。
【００２１】
前記Ｘ２プロキシ解放／非活性化応答メッセージは、Ｘ２プロキシ非活性化確認指示を含む、または、
前記基地局構成更新確認メッセージは、Ｘ２プロキシ非活性化確認指示を含み、
前記基地局構成失敗メッセージは、Ｘ２プロキシ非活性化確認指示を含む。
【００２２】
Ｘ２プロキシを実現するシステムは、初期ノード、前ホップノード、次ホップノードおよびターゲットノードを含み、
初期ノードは、前記前ホップノードおよび前記前ホップノードのＸ２プロキシ機能として活性化された次ホップノードを含む二つ以上のＸ２プロキシを介して、前記ターゲットノードとのＸ２メッセージのインタラクションを実現するように構成される。
【００２３】
前記前ホップノードと前記次ホップノードの間でＸ２接続を確立する過程中のメッセージに活性化指示を含ませることによって、前記次ホップノードを前記前ホップノードのＸ２プロキシ機能として活性化する場合、前記前ホップノードは、前記次ホップノードへ前記前ホップノードのＸ２プロキシ機能として活性化する指示を含むＸ２確立要求メッセージを送信し、そして前記次ホップノードから送信されたＸ２確立応答メッセージを受信するように構成され、
前記次ホップノードが前記前ホップノードから送信された、前記前ホップノードのＸ２プロキシ機能として活性化する指示を含むＸ２確立要求メッセージを受信した後、前記前ホップノードへＸ２確立応答メッセージを返信するように構成される。
【００２４】
前記初期ノードで前記前ホップノードから前記次ホップノードにハンドオーバする過程中のメッセージに活性化指示を含ませることによって、前記次ホップノードを前記前ホップノードのＸ２プロキシ機能として活性化し、且つ前記ハンドオーバ過程がＸ２ハンドオーバ過程である場合、前記前ホップノードは、前記次ホップノードへ前記前ホップノードのＸ２プロキシ機能として活性化する指示を含むＸ２ハンドオーバ要求メッセージを送信し、そして前記次ホップノードから返信されたＸ２ハンドオーバ応答メッセージを受信するように構成され、
前記次ホップノードは、前記前ホップノードから送信された、前記前ホップノードのＸ２プロキシ機能とて活性化する指示を含むＸ２ハンドオーバ要求メッセージを受信した後、前記前ホップノードへＸ２ハンドオーバ応答メッセージを返信するように構成される、または、
前記初期ノードは、さらに前記次ホップノードへ前記前ホップノードのＸ２プロキシ機能として活性化する指示を含むＲＲＣ接続再構成完了メッセージを送信するように構成され、
前記次ホップノードは、前記初期ノードから送信された前記前ホップノードのＸ２プロキシ機能として活性化する指示を含むＲＲＣ接続再構成完了メッセージを受信するように構成される。
【００２５】
前記初期ノードで前記前ホップノードから前記次ホップノードにハンドオーバする過程中のメッセージに活性化指示を含ませることによって、前記次ホップノードを前記前ホップノードのＸ２プロキシ機能として活性化し、且つ前記ハンドオーバ過程がＳ１ハンドオーバ過程である場合、前記システムは、ソースＭＭＥおよびターゲットＭＭＥをさらに含み、
前記前ホップノードが順次に前記ソースＭＭＥおよび前記ターゲットＭＭＥを介して、前記次ホップノードへ前記前ホップノードのＸ２プロキシ機能として活性化する指示を含むＳ１ハンドオーバ要求メッセージを送信し、そして前記次ホップノードが順次に前記ターゲットＭＭＥおよび前記ソースＭＭＥを介して返信したＳ１ハンドオーバ応答メッセージを受信するように構成され、
前記次ホップノードが、前記前ホップノードが順次に前記ソースＭＭＥおよび前記ターゲットＭＭＥを介して送信した、前記前ホップノードのＸ２プロキシ機能として活性化する指示を含むＳ１ハンドオーバ要求メッセージを受信した後、順次に前記ターゲットＭＭＥおよび前記ソースＭＭＥを介して、前記前ホップノードへＳ１ハンドオーバ応答メッセージを返信するように構成される、または、
前記初期ノードは、さらに前記次ホップノードへ前記前ホップノードのＸ２プロキシ機能として活性化する指示を含むＲＲＣ接続再構成完了メッセージを送信するように構成され、
前記次ホップノードが前記初期ノードから送信された、前記前ホップノードのＸ２プロキシ機能として活性化する指示を含むＲＲＣ接続再構成完了メッセージを受信するように構成される。
【００２６】
前記前ホップノードと前記次ホップノードの間で基地局構成更新を行う過程中のメッセージに活性化指示を含ませることによって、前記次ホップノードを前記前ホップノードのＸ２プロキシ機能として活性化する場合、前記前ホップノードは、前記次ホップノードへ前記初期ＤｅＮＢのＸ２プロキシ機能として活性化する指示を含む基地局構成更新メッセージを送信し、そして前記次ホップノードから返信された基地局構成更新確認メッセージまたは基地局構成更新失敗メッセージを受信するように構成され、
前記次ホップノードは、前記前ホップノードから送信された、前記前ホップノードのＸ２プロキシ機能として活性化する指示を含む基地局構成更新メッセージを受信した後、前記前ホップノードへ基地局構成更新確認メッセージまたは基地局構成更新失敗メッセージを返信するように構成される。
【００２７】
前記次ホップノードを前記前ホップノードのＸ２プロキシ機能として非活性化する場合、前記前ホップノードは、さらに前記次ホップノードへ前記前ホップノードのＸ２プロキシ機能として非活性化する指示を含むＸ２プロキシ解放／非活性化要求メッセージを送信するように構成され、
前記次ホップノードは、さらに前記前ホップノードから送信された、前記前ホップノードのＸ２プロキシ機能として非非活性化する指示を含むＸ２プロキシ解放／非活性化要求メッセージを受信するように構成される、または、
前記前ホップノードは、さらに前記次ホップノードへ前記前ホップノードのＸ２プロキシ機能として非活性化する指示を含む基地局構成更新メッセージを送信し、そして前記次ホップノードから返信された基地局構成更新確認メッセージまたは基地局更新失敗メッセージを受信するように構成され、
前記次ホップノードは、さらに前記前ホップノードから送信された、前記前ホップノードのＸ２プロキシ機能として非活性化する指示を含む基地局構成更新メッセージを受信した後、前記前ホップノードへ基地局構成更新確認メッセージまたは基地局構成更新失敗メッセージを返信するように構成される。
【００２８】
前記次ホップノードは、さらに前記前ホップノードへＸ２プロキシ解放／非活性化応答メッセージを返信するように構成され、
前記前ホップノードは、さらに前記次ホップノードから返信されたＸ２プロキシ機能解放／非活性化応答メッセージを受信するように構成される。
【００２９】
コンピュータ記憶媒体は、一組の命令を含み、前記命令を実行する場合、少なくとも１つのプロセッサが上述したＸ２プロキシを実現する方法を実行することを引き起こす。
【００３０】
本発明の実施形態によるＸ２プロキシを実現する方法およびシステムにおいて、次ホップノードを前ホップノードのＸ２プロキシ機能として活性化し、前記前ホップノードと前記次ホップノードを含む二つ以上のＸ２プロキシを介して、初期ノードとターゲットノードの間でＸ２メッセージのインタラクションを実現し、これにより初期ノードに隣接する、第一のノードとのＸ２インターフェースがないまたは他の原因で直接接続しないターゲットノードとの間のＸ２メッセージインタラクションを効果的に実現することができる。
【図面の簡単な説明】
【００３１】
【図１】ＲＮのアーキテクチャ図である；
【図２】ＭＲの配置シナリオを示す図である；
【図３】本発明の実施形態によるＸ２プロキシを実現する方法のフローチャートである；
【図４】本発明の実施形態の応用シナリオを示す図である；
【図５】本発明の実施形態一によるＸ２プロキシを実現する方法のフローチャートである；
【図６】本発明の実施形態二によるＸ２プロキシ解放／非活性化を実現する方法のフローチャートである；
【図７】本発明の実施形態三によるＸ２プロキシを実現する方法のフローチャートである；
【図８】本発明の実施形態四によるＸ２プロキシを実現する方法のフローチャートである；
【図９】本発明の実施形態五によるＸ２プロキシを実現する方法のフローチャートである；
【図１０】本発明の実施形態六によるＸ２プロキシ非活性化を実現する方法のフローチャートである；
【図１１】本発明の実施形態七によるＸ２プロキシを実現する方法のフローチャートである；
【図１２】本発明の実施形態八によるＸ２プロキシを実現する方法のフローチャートである；
【図１３】本発明の実施形態によるＸ２プロキシを実現するシステムの構造図である。
【発明を実施するための形態】
【００３２】
図面（それが必ず割合で描かれていない）において、同様な図面符号は、異なる図に類似な部材を説明することができる。異なる文字接尾語を有する同様な図面符号が同様な部材の異なる例を示すことができる。図面は、制限されないモードではなく例で本明細書で討論される各実施形態をほぼ示す。
【００３３】
以下に図面および具体的な実施形態を参照して本発明をさらに詳しく説明する。
【００３４】
本発明の様々な実施形態において、次ホップノードを前ホップノードのＸ２プロキシ機能として活性化し、前記前ホップノードと前記次ホップノードを含む二つ以上のＸ２プロキシを介して、初期ノードとターゲットノードの間でＸ２メッセージのインタラクションを実現する。
【００３５】
本発明の実施形態によるＸ２プロキシを実現する方法は、図３に示すように、以下のステップを含む。
【００３６】
ステップ３００において、次ホップノードを前ホップノードのＸ２プロキシ機能として活性化する。
【００３７】
ここで、前記前ホップノードが第一のホップノードである場合、前記次ホップノードが第二のホップノードであり、それに応じて、前記前ホップノードが第二のホップノードである場合、前記次ホップノードが第三のホップノードであり、これによって類推する。ここで、第一のホップノード、第二のホップノード．．．．．．．最後のホップノードとは、初期ノードがＸ２メッセージをターゲットノードに送信する過程中の第一のホップノード、第二のホップノード．．．．．．．最後のホップノードを意味する。
【００３８】
本ステップの具体的な実現は、
前記前ホップノードと前記次ホップノードの間でＸ２接続を確立する過程中のメッセージに活性化指示を含ませることによって、前記次ホップノードを前記前ホップノードのＸ２プロキシ機能として活性化すること、または、
前記初期ノードが前記前ホップノードから前記次ホップノードにハンドオーバする過程中のメッセージに活性化指示を含ませることによって、前記次ホップノードを前記前ホップノードのＸ２プロキシ機能として活性化すること、または、
前記前ホップノードと前記次ホップノードの間で基地局構成更新を行う過程中のメッセージに活性化指示を含ませることによって、前記次ホップノードを前記前ホップノードのＸ２プロキシ機能として活性化することを含む。
【００３９】
ここで、前記前ホップノードと前記次ホップノードの間でＸ２接続を確立する過程中のメッセージに活性化指示を含ませることによって、前記次ホップノードを前記前ホップノードのＸ２プロキシ機能として活性化することは、具体的に、
前記前ホップノードが前記次ホップノードへ前記前ホップノードのＸ２プロキシ機能として活性化する指示を含むＸ２確立要求メッセージを送信し、
前記次ホップノードがＸ２確立要求メッセージを受信した後、前記前ホップノードへＸ２確立応答メッセージを返信することである。
【００４０】
ここで、前記Ｘ２確立応答メッセージは、Ｘ２プロキシ活性化確認指示を含むことができる。
【００４１】
前記ハンドオーバ過程がＸ２ハンドオーバ過程であり、それに応じて、前記初期ノードが前記前ホップノードから前記次ホップノードにハンドオーバする過程中のメッセージに活性化指示を含ませることによって、前記次ホップノードを前記前ホップノードのＸ２プロキシ機能として活性化することは、具体的に、
前記前ホップノードが前記次ホップノードへ前記前ホップノードのＸ２プロキシ機能として活性化する指示を含むＸ２ハンドオーバ要求メッセージを送信し、
前記次ホップノードがＸ２ハンドオーバ要求メッセージを受信した後、前記前ホップノードへＸ２ハンドオーバ応答メッセージを返信すること、または、
前記初期ノードが前記次ホップノードへ前記前ホップノードのＸ２プロキシ機能として活性化する指示を含むＲＲＣ接続再構成完了メッセージを送信して、前記次ホップノードを前記前ホップノードのＸ２プロキシ機能として活性化することである。
【００４２】
ここで、前記サービングＤｅＮＢは、ＲＲＣ接続再構成完了メッセージを受信した後、前記前ホップノードとメッセージインタラクションを行って、自体を前記前ホップノードのＸ２プロキシ機能として活性化する。
【００４３】
ここで、前記Ｘ２ハンドオーバ応答メッセージは、Ｘ２プロキシ活性化確認指示を含むことができる。
【００４４】
前記ハンドオーバ過程がＳ１ハンドオーバ過程であり、それに応じて、前記初期ノードが前記前ホップノードから前記次ホップノードにハンドオーバする過程中のメッセージに活性化指示を含ませることによって、前記次ホップノードを前記前ホップノードのＸ２プロキシ機能として活性化することは、具体的に、
前記前ホップノードが順次に前記初期ノードのソース（Ｓｏｕｒｃｅ）ＭＭＥおよび前記初期ノードのターゲット（Ｔａｒｇｅｔ）ＭＭＥを介して、前記次ホップノードへ前記前ホップノードのＸ２プロキシ機能として活性化する指示を含むＳ１ハンドオーバ要求メッセージを送信し、
前記次ホップノードがＳ１ハンドオーバ要求メッセージを受信した後、順次に前記ターゲットＭＭＥおよび前記ソースＭＭＥを介して前記前ホップノードへＳ１ハンドオーバ応答メッセージを返信すること、または、
前記初期ノードが前記次ホップノードへ前記前ホップノードのＸ２プロキシ機能として活性化する指示を含むＲＲＣ接続再構成完了メッセージを送信して、前記次ホップノードを前記前ホップノードのＸ２プロキシ機能として活性化することである。
【００４５】
ここで、前記前ホップノードがＲＲＣ接続再構成完了メッセージを受信した後、前記前ホップノードとメッセージインタラクションを行って、自体を前記前ホップノードのＸ２プロキシ機能として活性化する。
【００４６】
前記Ｓ１ハンドオーバ応答メッセージは、Ｘ２プロキシ活性化確認指示を含む。
【００４７】
前記前ホップノードと前記次ホップノードの間で基地局構成更新を行う過程中のメッセージに活性化指示を含ませることによって、前記次ホップノードを前記前ホップノードのＸ２プロキシ機能として活性化することは、具体的に、
前記前ホップノードが前記次ホップノードへ前記前ホップノードのＸ２プロキシ機能として活性化する指示を含む基地局構成更新メッセージを送信し、
前記次ホップノードが基地局構成更新メッセージを受信した後、前記前ホップノードへ基地局構成更新確認メッセージまたは基地局構成更新失敗メッセージを返信することである。
【００４８】
ここで、前記基地局構成更新確認メッセージは、Ｘ２プロキシ活性化確認指示を含むことができ、前記基地局構成更新失敗メッセージは、Ｘ２プロキシ活性化確認指示を含むことができる。
【００４９】
前記次ホップノードを前記前ホップノードのＸ２プロキシ機能として活性化した後、前記次ホップノードは、前記前ホップノードと他のノードのＸ２プロキシとして作用される。
【００５０】
ステップ３０１において、前記前ホップノードと前記次ホップノードを含む二つ以上のＸ２プロキシを介して、初期ノードとターゲットノードの間でＸ２メッセージのインタラクションを実現する。
【００５１】
ここで、前記ターゲットノードは、前記前ホップノードとのＸ２インターフェースがないまたは他の原因で直接に接続しないノードである。ここで、前記他の原因は、具体的に過負荷などであってよい。
【００５２】
本ステップの具体的な実現は、
前記初期ノードが第一のホップノードへＸ２メッセージを送信すること、
前記第一のホップノードが、受信されたＸ２メッセージに対してＸ２プロキシ処理を行い、そして第二のホップノードへ対応するＸ２メッセージを送信し、最後のホップノードが受信されたＸ２メッセージに対してＸ２プロキシ処理を行い、そして前記ターゲットノードへ対応するＸ２メッセージを送信するまで、これによって類推すること、および／または、
前記最後のホップノードが受信された、前記ターゲットノードからのＸ２メッセージに対してＸ２プロキシ処理を行い、そして最後から二番目のホップノードへ対応するＸ２メッセージを送信し、前記第一のホップノードが受信されたＸ２メッセージに対してＸ２プロキシ処理を行い、そして前記初期ノードへ対応するＸ２メッセージを送信するまで、これによって類推することを含む。
【００５３】
ここで、受信されたＸ２メッセージに対してＸ２プロキシ処理を行うことは、
ＵＥに新しいアプリケーション層識別子を割り当てて、受信されたＸ２メッセージにおけるＵＥのアプリケーション層識別子の代わりに自体に割り当てられたアプリケーション層識別子を使用すること、および／または、
受信されたＸ２メッセージにおけるソースノード識別子の代わりに自ノード識別子を使用すること、および／または、
受信されたＸ２メッセージにおけるソースノードＩＰアドレスの代わりに自ノードＩＰアドレスを使用することを含む。
【００５４】
前記ターゲットノードのタイプは、ｅＮＢ、ＲＮ、ＭＲ、ＨｅＮＢおよびマイクロ基地局などのタイプの基地局を含むことができる。
【００５５】
当該方法は、さらに、
Ｘ２プロキシ機能を開放／活性化する必要がある場合、前記次ホップノードを前記前ホップノードのＸ２プロキシ機能として非活性化し、
具体的に、前記前ホップノードが前記次ホップノードへ前記前ホップノードのＸ２プロキシ機能として非活性化する指示を含むＸ２プロキシ解放／非活性化要求メッセージを送信して、前記次ホップノードを前記前ホップノードのＸ２プロキシ機能として非活性化すること、または、
前記前ホップノードと前記次ホップノードの間で基地局構成更新を行う過程中のメッセージに非活性化指示を含ませることによって、前記次ホップノードを前記前ホップノードのＸ２プロキシ機能として非活性化することをさらに含むことができる。
【００５６】
ここで、前記Ｘ２プロキシ解放／非活性化応答メッセージは、Ｘ２プロキシ非活性化確認指示を含むことができる。
【００５７】
ここで、前記次ホップノードが前記前ホップノードのＸ２プロキシ機能として非活性化する指示を含むＸ２プロキシ解放／非活性化メッセージを受信した後、前記前ホップノードへＸ２プロキシ解放／非活性化メッセージを返信する。
【００５８】
前記前ホップノードと前記次ホップノードの間で基地局構成更新を行う過程中のメッセージに非活性化指示を含ませることによって、前記次ホップノードを前記前ホップノードのＸ２プロキシ機能として非活性化することは、具体的に、
前記前ホップノードが前記次ホップノードへ前記前ホップノードのＸ２プロキシ機能として非活性化する指示を含む基地局構成更新メッセージを送信し、
前記次ホップノードが基地局構成更新メッセージを受信した後、前記前ホップノードへ基地局構成更新確認メッセージまたは基地局構成更新失敗メッセージを返信することである。
【００５９】
ここで、前記基地局構成更新確認メッセージは、Ｘ２プロキシ非活性化確認指示を含むことができ、前記基地局構成更新失敗メッセージは、Ｘ２プロキシ非活性化確認指示を含むことができる。
【００６０】
本発明の実施形態において、前記前ホップノードと前記次ホップノードの間でＸ２接続を確立する過程中のメッセージに非活性化指示を含ませることによって、前記次ホップノードを前記前ホップノードのＸ２プロキシ機能と活性化する、または、前記初期ノードが前記前ホップノードから前記次ホップノードにハンドオーバする過程中のメッセージに活性化指示を含ませることによって、前記次ホップノードを前記前ホップノードのＸ２プロキシ機能として活性化する、または、前記前ホップノードと前記次ホップノードの間で基地局構成更新を行う過程中のメッセージに活性化指示を含ませることによって、前記次ホップノードを前記前ホップノードのＸ２プロキシ機能として活性化し、これにより次のホップノードを効果的に前ホップノードのプロキシ機能として活性化することができる。
【００６１】
以下に実施形態を参照して本発明をさらに詳しく説明する。
【００６２】
図４は実施形態一ないし実施形態八の応用シナリオを示す図である。図４に示すように、初期ＤｅＮＢとＭＲ隣接領域のｅＮＢの間にＸ２インターフェースがないまたは他の原因、例えば過負荷で直接に接続できなく、サービングＤｅＮＢとＭＲ隣接領域のｅＮＢの間にＸ２インターフェースがあり、初期ＤｅＮＢとサービングＤｅＮＢの間にＸ２インターフェースがあってもよい、または、直接インタフェースの条件を満たす。
【００６３】
ここで、実施形態一ないし実施形態八がいずれもレベル二つのＸ２プロキシを例にし、三つ以上の具体的な処理過程が実施形態一ないし実施形態八に記載される過程と同じであるので、説明を省略する。実施形態一ないし実施形態八は、いずれもＭＲシナリオを例にし、ＨｅＮＢシナリオの具体的な処理過程が実施形態一、実施形態二、実施形態五ないし実施形態八に記載される過程と同じであるので、説明を省略する。ＨｅＮＢシナリオにおいて、ＨｅＮＢがＭＲシナリオにおけるＭＲに相当し、第一のホップノードＸ２プロキシがＭＲシナリオにおける初期ＤｅＮＢに相当し、第二のホップノードＸ２プロキシがＭＲシナリオにおけるサービングＤｅＮＢに相当し、他のｅＮＢまたはＨｅＮＢが隣接するＭＲシナリオにおけるＭＲに隣接するｅＮＢに相当すると説明すべきである。
【００６４】
実施形態一
本実施形態におけるＸ２接続確立プロセスのマルチホップＸ２プロキシ活性化プロセスは、初期ＤｅＮＢにより開始される。本実施形態によるＸ２プロキシを実現する方法は、図５に示すように、以下のステップを含む。
【００６５】
ステップ５０１において、初期ＤｅＮＢは、サービングＤｅＮＢへＸ２確立要求メッセージを送信する。
【００６６】
ここで、本発明の実施形態において初期ｅＮＢがサービングＤｅＮＢへＸ２確立要求メッセージを送信するチャンスをさらに限定しない。
【００６７】
前記Ｘ２確立要求メッセージは、Ｘ２プロキシ活性化指示を含み、前記Ｘ２プロキシ活性化指示が初期ＤｅＮＢのＸ２プロキシ機能として活性化する指示である。
【００６８】
ステップ５０２において、サービングＤｅＮＢは、Ｘ２確立要求メッセージを受信した後、初期ＤｅＮＢへＸ２確立応答メッセージを返信し、Ｘ２確立成功を確認する。
【００６９】
ここで、前記Ｘ２確立応答メッセージは、Ｘ２プロキシ活性化確認指示または拒絶／失敗指示を含む。
【００７０】
ここで、サービングＤｅＮＢは、Ｘ２確立要求メッセージを受信した後、自体の状況、例えば負荷状況、Ｘ２インターフェイスの有無などに基づいて、初期ＤｅＮＢのＸ２プロキシとすることができることを確定した場合、返信されたＸ２確立応答メッセージにＸ２プロキシ活性化確認指示を含み、自体の状況に基づいて初期ＤｅＮＢのＸ２プロキシとすることができることを確定した場合、返信されたＸ２確立応答メッセージにＸ２プロキシ活性化拒絶／失敗指示を含む。ここで、返信されたＸ２確立応答メッセージにＸ２プロキシ活性化拒絶／失敗指示が含まれると、サービングＤｅＮＢが初期ＤｅＮＢのＸ２プロキシとすることができないことを示す。
【００７１】
Ｘ２確立が失敗した場合、サービングＤｅＮＢは、初期ＤｅＮＢへＸ２確立失敗メッセージを返信し、Ｘ２確立が失敗することを確認する。前記Ｘ２確立失敗メッセージが失敗原因を含み、ここで、前記失敗原因がＸ２プロキシをサポートしないことを指示する。
【００７２】
ステップ５０３において、Ｘ２確立が成功した後、サービングＤｅＮＢは、初期ＤｅＮＢのＸ２プロキシ機能を実行する。
【００７３】
実施形態二
本実施形態において、サービングＤｅＮＢは、すでに初期ＤｅＮＢのＸ２プロキシ機能として活性化し、マルチホップＸ２プロキシ解放／非活性化プロセスが初期ＤｅＮＢにより開始され、本実施形態によるＸ２プロキシ解放／非活性化を実現する方法は、図６に示すように、以下のステップを含む。
【００７４】
ステップ６０１において、Ｘ２プロキシ機能を解放／非活性化する必要がある場合、初期ＤｅＮＢは、サービングＤｅＮＢへＸ２プロキシ解放／非活性化要求メッセージを送信する。
【００７５】
ここで、前記解放／非活性化要求メッセージは、Ｘ２プロキシ非活性化指示を含み、前記Ｘ２プロキシ非活性化指示が初期ＤｅＮＢのＸ２プロキシ機能と非活性化する指示である。
【００７６】
ステップ６０２において、サービングＤｅＮＢは、Ｘ２プロキシ解放／非活性化要求メッセージを受信した後、初期ＤｅＮＢへＸ２プロキシ解放／非活性化応答メッセージを返信し、Ｘ２プロキシ非活性化が成功することを確認する。
【００７７】
ここで、前記解放／非活性化応答メッセージは、Ｘ２プロキシ非活性化確認指示を含む。
【００７８】
解放／非活性化できない場合、初期ＤｅＮＢは、Ｘ２プロキシ解放／非活性化要求メッセージを受信した後、サービングＤｅＮＢへＸ２プロキシ解放／非活性化失敗メッセージを返信し、前記Ｘ２プロキシ解放／非活性化失敗メッセージが失敗原因を含む。
【００７９】
Ｘ２プロキシ解放が成功した後、サービングＤｅＮＢは、初期ＤｅＮＢのＸ２プロキシ機能を実行しない。
【００８０】
実施形態三
本実施形態によるＸ２プロキシを実現する方法は、図７に示すように、以下のステップを含む。
【００８１】
ステップ７０１において、Ｘ２ハンドオーバを行う必要がある場合、ＭＲが初期ＤｅＮＢからサービングＤｅＮＢにハンドオーバする前の準備プロセスを行い、その後ステップ７０２を実行する。
【００８２】
ここで、前記準備プロセスは、ＭＲ測定の設定、ＭＲ測定の報告、初期ＤｅＮＢがハンドオーバ判定を行うことなどを含み、本ステップの具体的な実現は、従来技術を使用することができる。
【００８３】
ステップ７０２において、初期ＤｅＮＢは、サービングＤｅＮＢへＸ２ハンドオーバ要求メッセージを送信する。
【００８４】
ここで、前記Ｘ２ハンドオーバ要求メッセージは、Ｘ２プロキシ活性化指示を含み、前記Ｘ２プロキシ活性化指示が初期ＤｅＮＢのＸ２プロキシ機能として活性化する指示である。
【００８５】
ステップ７０３において、サービングＤｅＮＢは、Ｘ２ハンドオーバ要求メッセージを受信した後、初期ＤｅＮＢへＸ２ハンドオーバ応答メッセージを返信する。
【００８６】
ここで、前記Ｘ２ハンドオーバ応答メッセージは、Ｘ２プロキシ活性化確認指示または拒絶／失敗指示を含む。
【００８７】
ここで、サービングＤｅＮＢは、Ｘ２ハンドオーバ要求メッセージを受信した後、自体の状況、例えば負荷状況、Ｘ２インタフェースの有無などに基づいて、初期ＤｅＮＢのＸ２プロキシとすることができることを確定した場合、返信されたＸ２ハンドオーバ応答メッセージにＸ２プロキシ活性化確認指示を含み、自体の状況に基づいて初期ＤｅＮＢのＸ２プロキシとすることができないことを確定した場合、返信されたＸ２ハンドオーバ応答メッセージにＸ２プロキシ活性化拒絶／失敗指示を含む。ここで、返信されたＸ２ハンドオーバ応答メッセージにＸ２プロキシ活性化拒絶／失敗指示が含まれると、サービングＤｅＮＢが初期ＤｅＮＢのＸ２プロキシとすることができないことを示す。
【００８８】
サービングＤｅＮＢは、Ｘ２ハンドオーバを行うことができないことを確定した場合、初期ＤｅＮＢへＸ２ハンドオーバ失敗メッセージを返信し、前記Ｘ２ハンドオーバ失敗メッセージがＸ２プロキシ活性化拒絶指示を含む。
【００８９】
ステップ７０４において、後続のハンドオーバプロセスを行う。
【００９０】
ここで、本ステップの具体的な実現は、従来技術を使用することができる。
【００９１】
Ｘ２ハンドオーバが成功し、且つＸ２プロキシが活性化されることを確認した場合、サービングＤｅＮＢは、初期ＤｅＮＢのＸ２プロキシ機能を実行する。
【００９２】
ステップ７０２に記載れるＸ２プロキシ活性化指示がＭＲからサービングＤｅＮＢに送信されたＲＲＣ接続再構成完了メッセージに含まれることができ、サービングＤｅＮＢがＲＲＣ接続再構成完了メッセージを受信した後、初期ＤｅｆＮＢとメッセージインタラクションを行い、自体を初期ＤｅＮＢのＸ２プロキシ機能として活性化すると説明すべきである。
【００９３】
ここで、サービングＤｅＮＢから初期ＤｅＮＢに送信されたメッセージにＸ２プロキシ活性化確認指示または拒絶／失敗指示を含むことができる。
【００９４】
ここで、サービングＤｅＮＢは、ＲＲＣ接続再構成完了メッセージを受信した後、自体の状況、例えば負荷状況、Ｘ２インターフェースの有無などに基づいて、初期ＤｅＮＢのＸ２プロキシとすることができることを確定した場合、初期ＤｅＮＢに送信されたメッセージにＸ２プロキシ活性化確認指示を含み、自体の状況に基づいて初期ＤｅＮＢのＸ２プロキシとすることができないことを確定した場合、初期ＤｅＮＢに送信されたＸ２プロキシ活性化拒絶／失敗指示を含む。ここで、初期ＤｅＮＢに送信されたメッセージにＸ２プロキシ活性化拒絶／失敗指示が含まれると、サービングＤｅＮが初期ＤｅＮＢのＸ２プロキシとすることができないことを示す。
【００９５】
実施形態四
本実施形態によるＸ２プロキシを実現する方法は、図８に示すように、以下のステップを含む。
【００９６】
ステップ８０１において、初期ＤｅＮＢは、サービングＤｅＮへのＭＲに対するＳ１ハンドオーバを開始することを決定する。
【００９７】
ステップ８０２において、初期ＤｅＮＢは、ＲＮのソースＭＭＥへＳ１ハンドオーバ要求メッセージを送信する。
【００９８】
ここで、前記Ｓ１ハンドオーバ要求メッセージは、Ｘ２プロキシ活性化指示を含み、前記Ｘ２プロキシ活性化指示が初期ＤｅＮＢのＸ２プロキシ機能として活性化する指示である。
【００９９】
ステップ８０３において、ＲＮのソースＭＭＥは、Ｓ１ハンドオーバ要求メッセージを受信した後、ＲＮのターゲットＭＭＥへＳ１ハンドオーバ要求メッセージを送信する。
【０１００】
ここで、ＲＮのターゲットＭＭＥに送信されるＳ１ハンドオーバ要求メッセージがＸ２プロキシ活性化指示を含み、前記Ｘ２プロキシ活性化指示が初期ＤｅＮＢのＸ２プロキシ機能として活性化する指示である。
【０１０１】
ステップ８０４において、ＲＮのターゲットＭＭＥは、Ｓ１ハンドオーバ要求メッセージを受信した後、サービングＤｅＮＢへＳ１ハンドオーバ要求メッセージを送信する。
【０１０２】
ここで、サービングＤｅＮＢへ送信されたＳ１ハンドオーバ要求メッセージがＸ２プロキシ活性化指示を含み、前記Ｘ２プロキシ活性化指示が初期ＤｅＮＢのＸ２プロキシ機能として活性化する指示である。
【０１０３】
ステップ８０５において、サービングＤｅＮＢは、Ｓ１ハンドオーバ要求メッセージを受信した後、ＲＮのターゲットＭＭＥへＳ１ハンドオーバ応答メッセージを返信する。
【０１０４】
ここで、前記Ｓ１ハンドオーバ応答メッセージは、Ｘ２プロキシ活性化確認指示または拒絶／失敗指示を含む。
【０１０５】
ここで、サービングＤｅＮＢは、Ｓ１ハンドオーバ要求メッセージを受信した後、自体の状況、例えば負荷状況、Ｘ２インターフェースの有無などに基づいて、初期ＤｅＮＢのＸ２プロキシとすることができることを確定した場合、返信されたＳ１ハンドオーバ応答メッセージにＸ２プロキシ活性化確認指示を含み、自体の状況に基づいて初期ＤｅＮＢのＸ２プロキシとすることができないことを確定した場合、返信されたＳ１ハンドオーバ応答メッセージにＸ２プロキシ活性化拒絶／失敗指示を含む。ここで、返信されたＳ１ハンドオーバ応答メッセージにＸ２プロキシ活性化拒絶／失敗指示が含まれると、サービングＤｅＮＢが初期ＤｅＮＢのＸ２プロキシとすることができないことを示す。
【０１０６】
サービングＤｅＮは、ハンドオーバを行うことができないことを確定した場合、ＲＮのターゲットＭＭＥへＳ１ハンドオーバ失敗メッセージを返信する。それに応じて、ＲＮのターゲットＭＭＥは、ＲＮのソースＭＭＥへＳ１ハンドオーバ失敗メッセージを返信する。ＲＮのソースＭＭＥは、初期ＤｅＮＢへＳ１ハンドオーバ応答メッセージを返信する。ここで、前記Ｓ１ハンドオーバが失敗すると、当該メッセージは、Ｘ２プロキシ活性化拒絶指示を含む。
【０１０７】
ステップ８０６において、ＲＮのターゲットＭＭＥは、Ｓ１ハンドオーバ応答メッセージを受信した後、ＲＮのソースＭＭＥへＳ１ハンドオーバ応答メッセージを返信する。
【０１０８】
ここで、ＲＮのソースＭＭＥへ返信されるＳ１ハンドオーバ応答メッセージは、Ｘ２プロキシ活性化確認指示または拒絶／失敗指示を含む。
【０１０９】
ステップ８０７において、ＲＮのソースＭＭＥは、Ｓ１ハンドオーバ応答メッセージを受信した後、初期ＤｅＮＢへＳ１ハンドオーバ応答メッセージを送信し、その後ステップ８０８を実行する。
【０１１０】
ここで、初期ＤｅＮＢへ返信されるＳ１ハンドオーバ応答メッセージは、Ｘ２プロキシ活性化確認指示または拒絶／失敗指示を含む。
【０１１１】
ステップ８０８において、後続のハンドオーバプロセスを行う。
【０１１２】
ここで、本ステップの具体的な実現は、従来技術を使用することができる。
【０１１３】
Ｓ１ハンドオーバが成功し、且つＸ２が活性化されることを確認した場合、サービングＤｅＮＢは、初期ＤｅＮＢのＸ２プロキシ機能を実行する。
【０１１４】
ステップ８０２に記載されるＸ２プロキシ活性化指示は、ＭＲからサービングＤｅＮＢに返信されるＲＲＣ接続再構成完了メッセージに含ませ、それに応じて、サービングＤｅＮＢがＲＲＣ接続再構成完了メッセージを受信した後、初期ＤｅＮＢと情報インタラクションを行い、自体を初期ＤｅＮＢのＸ２プロキシ機能として活性化すると説明すべきである。
【０１１５】
ここで、サービングＤｅＮＢから初期ＤｅＮＢに送信されるメッセージにＸ２プロキシ活性化確認指示または拒絶／失敗指示を含むことができる。
【０１１６】
ここで、サービングＤｅＮＢは、ＲＲＣ接続再構成完了メッセージを受信した後、自体の状況例えば負荷状況、Ｘ２インターフェースの有無などに基づいて、初期ＤｅＮＢのＸ２プロキシとすることができることを確定した場合、初期ＤｅＮＢに送信されるメッセージにＸ２プロキシ活性化確認指示を含み、自体の状況に基づいて初期ＤｅＮＢのＸ２プロキシとすることができないことを確定した場合、初期ＤｅＮＢに送信されるメッセージにＸ２プロキシ活性化拒絶／失敗指示を含む。ここで、初期ＤｅＮＢに送信されるメッセージにＸ２プロキシ活性化拒絶／失敗指示が含まれると、サービングＤｅＮＢが初期ＤｅＮＢのＸ２プロキシとすることができないことを示す。
【０１１７】
実施形態五
本実施形態によるＸ２プロキシを実現する方法は、図９に示すように、以下のステップを含む。
【０１１８】
ステップ９０１において、構成更新を行う必要がある場合、初期ＤｅＮＢは、サービングＤｅＮに基地局構成更新メッセージを送信する。
【０１１９】
ここで、前記基地局構成更新メッセージは、Ｘ２プロキシ活性化指示を含み、前記Ｘ２プロキシ活性化指示が初期ＤｅＮＢのＸ２プロキシ機能として活性化する指示である。
【０１２０】
ステップ９０２において、サービングＤｅＮＢは、前記基地局構成更新メッセージを受信した後、初期ＤｅＮＢへ基地局構成更新確認メッセージを返信する。
【０１２１】
ここで、前記基地局構成更新確認メッセージは、Ｘ２プロキシ活性化確認指示または拒絶／失敗指示を含む。
【０１２２】
サービングＤｅＮＢは、基地局構成更新メッセージを受信した後、自体の状況、例えば負荷状況、Ｘ２インターフェースなどに基づいて、初期ＤｅＮＢのＸ２プロキシとすることができることを確定した場合、返信される基地局構成更新確認メッセージにＸ２プロキシ活性化確認指示を含み、自体の状況に基づいて初期ＤｅＮＢのＸ２プロキシとすることができないことを確定した場合、返信される基地局構成更新確認メッセージにＸ２プロキシ活性化拒絶／失敗指示を含む。返信される基地局構成更新確認メッセージにＸ２プロキシ活性化拒絶／失敗指示が含まれると、サービングＤｅＮＢが初期ＤｅＮＢのＸ２プロキシとすることができないことを示す。
【０１２３】
サービングＤｅＮＢは、前記基地局構成更新メッセージを受信した後、構成更新を行うことができないことを確定した場合、初期ＤｅＮＢへ基地局構成更新失敗メッセージを返信する。前記基地局構成更新失敗メッセージがＸ２プロキシ活性化確認指示または拒絶／失敗指示を含む。
【０１２４】
ステップ９０３において、サービングＤｅＮＢは、Ｘ２プロキシが活性化されることを確認した後、初期ＤｅＮＢのＸ２プロキシ機能を実行する。
【０１２５】
実施形態六
本実施形態において、サービングＤｅＮＢは、初期ＤｅＮＢのＸ２プロキシの機能として活性化された。本実施形態によるＸ２プロキシを非活性化する方法は、図１０に示すように、以下のステップを含む。
【０１２６】
ステップ１００１において、Ｘ２プロキシを非活性化する必要がある場合、初期ＤｅＮＢは、サービングＤｅＮＢへ基地局構成更新メッセージを送信する。
【０１２７】
ここで、前記基地局構成更新メッセージは、Ｘ２プロキシを非活性化する指示を含み、Ｘ２プロキシ非活性化指示が初期ＤｅＮＢのＸ２プロキシ機能として非活性化する指示である。
【０１２８】
ステップ１００２において、サービングＤｅＮＢは、前記基地局構成更新メッセージを受信した後、初期ＤｅＮＢへ基地局構成更新確認メッセージを返信する。
【０１２９】
ここで、前記基地局構成更新確認メッセージは、Ｘ２プロキシ非活性化確認指示または拒絶／失敗指示を含む。
【０１３０】
サービングＤｅＮＢは、前記基地局構成更新メッセージを受信した後、自体の状況、例えばＸ２プロキシとしてデータを伝送するかどうかなどに基づいて、初期ＤｅＮＢのＸ２プロキシ機能として非活性化することができることを確定した場合、返信された基地局構成更新確認メッセージにＸ２プロキシ非活性化確認指示を含み、自体の状況に基づいて初期ＤｅＮＢのＸ２プロキシ機能として非活性化することができないことを確定した場合、返信された基地局構成更新確認メッセージにＸ２プロキシ非活性化拒絶／失敗指示を含む。
【０１３１】
サービングＤｅＮＢは、前記基地局構成更新メッセージを受信した後、初期ＤｅＮＢへ基地局構成更新失敗メッセージを返信するかもしれなく、ここで、前記基地局構成更新失敗メッセージがＸ２プロキシ非活性化確認指示または拒絶／失敗指示を含む。サービングＤｅＮＢが初期ＤｅＮＢへ基地局構成更新失敗メッセージを返信するトリガ条件は、従来技術を使用することができる。
【０１３２】
Ｘ２プロキシ非活性化が成功した後、サービングＤｅＮＢは、初期ＤｅＮＢのＸ２プロキシ機能を実行しない。
【０１３３】
実施形態七
本実施形態において、初期ＤｅＮＢとターゲットｅＮＢの間にＸ２インターフェースがなく、初期ＤｅＮＢとサービングＤｅＮＢは、すでにＸ２プロキシ機能を活性化し、具体的には、初期ＤｅＮＢは、すでにＭＲのＸ２プロキシ機能として活性化され、サービングＤｅＮＢは、すでに初期ＤｅＮＢのＸ２プロキシ機能として活性化される。本実施形態によるＸ２プロキシを実現する方法は、図１１に示すように、以下のステップを含む。
【０１３４】
ステップ１１０１において、ＭＲは、初期ＤｅＮＢへＸ２メッセージを送信する。
【０１３５】
ステップ１１０２において、Ｘ２メッセージを受信した後、初期ＤｅＮＢは、受信されたＸ２メッセージに対してＸ２プロキシ処理を行い、そしてサービングＤｅＮＢへ対応するＸ２メッセージを送信する。
【０１３６】
ここで、受信されたＸ２メッセージに対してＸ２プロキシ処理を行うことは、ＵＥに新しいアプリケーション層識別子を割り当てて、受信されたＸ２メッセージにおけるＵＥのアプリケーション層識別子の代わりに自体に割り当てられたアプリケーション層識別子を使用すること、および／または、受信されたＸ２メッセージにおけるソースノード識別子の代わりに自ノードＩＰアドレスを使用すること、および／および、受信されたＸ２メッセージにおけるソースノードＩＰアドレスの代わりに自ノードＩＰアドレスを使用することを含む。
【０１３７】
ステップ１１０３において、サービングＤｅＮＢは、初期ＤｅＮＢから送信されたＸ２をメッセージを受信した後、受信されたＸ２メッセージに対してＸ２プロキシ処理を行い、メッセージにおけるターゲットｅＮＢに基づいて対応するＸ２メッセージをターゲットｅＮＢに送信し、その後ステップ１１０４を実行する。
【０１３８】
ここで、受信されたＸ２メッセージに対してＸ２プロキシ処理を行うことは、ＵＥに新しいアプリケーション層識別子を割り当てて、受信されたＸ２メッセージにおけるＵＥのアプリケーション層識別子の代わりに自体に割り当てられたアプリケーション層識別子を使用すること、および／または、受信されたＸ２メッセージにおけるソースノード識別子の代わりに自ノードアプリケーション層識別子を使用すること、および／または、受信されたＸ２メッセージにおけるソースノードＩＰアドレスの代わりに自ノードＩＰアドレスを使用することを含む。
【０１３９】
ステップ１１０４〜１１０６において、ターゲットｅＮＢは、Ｘ２メッセージを受信した後、サービングＤｅＮＢへ対応する応答メッセージを返信し、サービングＤｅＮＢがターゲットｅＮＢからの返信を受信した後、初期ＤｅＮＢへ対応する応答メッセージを返信し、初期ＤｅＮＢが応答メッセージを受信した後、ＭＲへ対応する応答メッセージを返信する。
【０１４０】
実施形態八
本実施形態において、サービングＤｅＮＢとＭＲの間にＸ２インターフェースがなく、初期ＤｅＮＢとサービングＤｅＮＢがすでにＸ２プロキシ機能を活性化し、具体的には、初期ＤｅＮＢがすでにＭＲのＸ２プロキシ機能として活性化され、サービングＤｅＮＢがすでに初期ＤｅＮＢのＸ２プロキシ機能として活性化される。本実施形態によるＸ２プロキシを実現する方法は、図１２に示すように、以下のステップを含む。
【０１４１】
ステップ１２０１において、初期ＤｅＮＢ以外のｅＮＢは、サービングＤｅＮＢへＸ２メッセージを送信する。
【０１４２】
ステップ１２０２において、Ｘ２メッセージを受信した後、サービングＤｅＮＢは、受信されたＸ２メッセージに対してＸ２プロキシ処理を行い、そして初期ＤｅＮＢへ対応するＸ２メッセージを送信する。
【０１４３】
ここで、受信されたＸ２メッセージに対してＸ２プロキシ処理を行うことは、ＵＥに新しいアプリケーション層識別子を割り当てて、受信されたＸ２メッセージにおけるＵＥのアプリケーション層識別子の代わりに自体に割り当てられたアプリケーション層識別子を使用すること、および／または、受信されたＸ２メッセージにおけるソースノード識別子の代わりに自ノード識別子を使用すること、および／または、受信されたＸ２メッセージにおけるソースノードＩＰアドレスの代わりに自ノードＩＰアドレスを使用することを含む。
【０１４４】
ステップ１２０３において、初期ＤｅＮＢは、サービングＤｅＮＢから送信されたＸ２メッセージを受信した後、受信されたＸ２メッセージに対してＸ２プロキシ処理を行い、メッセージにおけるターゲットセルに基づいて対応するＸ２メッセージをＭＲに送信し、その後ステップ１２０４を実行する。
【０１４５】
ここで、受信されたＸ２メッセージに対してＸ２プロキシ処理を行うことは、ＵＥに新しいアプリケーション層識別子を割り当てて、受信されたＸ２メッセージにおけるＵＥのアプリケーション層識別子の代わりに自体に割り当てられたアプリケーション層識別子を使用すること、および／または、受信されたメッセージにおけるソースノード識別子の代わりに自ノード識別子を使用すること、および／または、受信されたメッセージにおけるソースノードＩＰアドレスの代わりに自ノードＩＰアドレスを使用することを含む。
【０１４６】
ステップ１２０４〜１２０６において、ＲＮは、Ｘ２メッセージを受信した後、初期ＤｅＮＢへ対応する応答メッセージを返信し、初期ＤｅＮＢがＭＲからの返信を受信した後、サービングＤｅＮＢへ対応する応答メッセージを返信し、サービングＤｅＮＢが応答メッセージを受信した後、前記他のｅＮＢへ対応する応答メッセージを返信する。
【０１４７】
前記方法を実現するために、本発明の実施形態によるＸ２プロキシを実現するシステムは、図１３に示すように、初期ノード１３１、前ホップノード１３２、次ホップノード１３３およびターゲットノード１３４を含む。
【０１４８】
初期ノード１３１は、前記前ホップノード１３２および前記前ホップノード１３２のＸ２プロキシ機能として活性化される次ホップノード１３３を含む二つ以上のＸ２プロキシを介して、前記ターゲットノード１３４の間でＸ２メッセージのインタラクションを実現するように構成される。
【０１４９】
ここで、前記前ホップノード１３２および次ホップノード１３３の個数が１個以上であると説明すべきである。
【０１５０】
ここで、前記前ホップノードと前記次ホップノードの間でＸ２接続を確立する過程中のメッセージに活性化指示を含ませることによって、前記次ホップノードを前記前ホップノードのＸ２プロキシ機能として活性化する場合、前記前ホップノード１３２は、前記次ホップノード１３３へ前記前ホップノード１３２のＸ２プロキシ機能として活性化する指示を含むＸ２確立要求メッセージを送信し、前記次ホップノード１３３から送信されたＸ２確立応答メッセージを受信するように構成される。
【０１５１】
前記次ホップノード１３３は、前記前ホップノード１３２から送信された、前記前ホップノード１３２のＸ２プロキシ機能として活性化する指示を含むＸ２確立要求メッセージを受信した後、前記前ホップノード１３２へＸ２確立応答メッセージを返信するように構成される。
【０１５２】
ここで、前記Ｘ２確立応答メッセージは、Ｘ２プロキシ活性化確認指示を含むことができる。
【０１５３】
前記初期ノードで前記前ホップノードから前記次ホップノードにハンドオーバする過程中のメッセージに活性化指示を含ませることによって、前記次ホップノードを前記前ホップノードのＸ２プロキシ機能として活性化し、且つ前記ハンドオーバ過程がＸ２ハンドオーバ過程である場合、前記前ホップノード１３２は、前記次ホップノード１３３へ前記前ホップノード１３２のＸ２プロキシ機能として活性化する指示を含むＸ２ハンドオーバ要求メッセージを送信し、前記次ホップノード１３３から返信されたＸ２ハンドオーバ応答メッセージを受信するように構成され、
前記次ホップノード１３３は、前記前ホップノード１３２から送信された、前記前ホップノードのＸ２プロキシ機能として活性化する指示を含むＸ２ハンドオーバ要求メッセージを受信した後、前記前ホップノード１３２へＸ２ハンドオーバ応答メッセージを返信するように構成される、または、
前記初期ノード１３１は、さらに前記次ホップノード１３３へ前記前ホップノード１３２のＸ２プロキシ機能として活性化する指示を含むＲＲＣ接続再構成完了メッセージを送信し、前記次ホップノード１３３を前記前ホップノード１３２のＸ２プロキシ機能として活性化するように構成され、
前記次ホップノード１３３は、前記初期ノード１３１から送信された、前記前ホップノード1３２のＸ２プロキシ機能として活性化する指示を含むＲＲＣ接続再構成完了メッセージを受信するように構成される。
【０１５４】
前記次ホップノード１３３は、さらに前記初期ノード１３１から送信された、前記前ホップノード１３２のＸ２プロキシ機能として活性化する指示を含むＲＲＣ接続再構成完了メッセージを受信した後、前記前ホップノード１３２と情報インタラクションを行い、自体を前記前ホップノード１３２のＸ２プロキシ機能として活性化するように構成される。
【０１５５】
ここで、前記Ｘ２ハンドオーバ応答メッセージは、Ｘ２プロキシ活性化確認指示を含むことができる。
【０１５６】
前記初期ノードで前記前ホップノードから前記次ホップノードにハンドオーバする過程中のメッセージに活性化指示を含ませることによって、前記次ホップノードを前記前ホップノードのＸ２プロキシ機能として活性化し、且つ前記ハンドオーバ過程がＳ１ハンドオーバ過程である場合、当該システムは、さらにソースＭＭＥおよびターゲットＭＭＥをさらに含むことができる。
【０１５７】
前記前ホップノード１３２は、順次に前記ソースＭＭＥおよび前記ターゲットＭＭＥを介して、前記前ホップノード１３３へ前記前ホップノード１３２のＸ２プロキシ機能として活性化する指示を含むＳ１ハンドオーバ要求メッセージを送信し、前記次ホップノード１３３が順次に前記ターゲットＭＭＥおよび前記ソースＭＭＥを介して返信したＳ１ハンドオーバ応答メッセージを受信するように構成され、
前記次ホップノード１３３は、前記前ホップノード１３２が順次に前記ソースＭＭＥおよび前記ターゲットＭＭＥにより送信された、前記前ホップノード１３２のＸ２プロキシ機能として活性化するＳ１ハンドオーバ要求メッセージを受信した後、順次に前記ターゲットＭＭＥおよび前記ソースＭＭＥを介して、前記前ホップノードへＳ１ハンドオーバ応答メッセージを返信するように構成される、または、
前記初期ノード１３１は、さらに前記次ホップノード１３３へ前記前ホップノード１３２のＸ２プロキシ機能として活性化する指示を含むＲＲＣ接続再構成完了メッセージを送信して、前記次ホップノード１３３を前記前ホップノード１３２のＸ２プロキシ機能として活性化するように構成され、
前記次ホップノード１３３は、前記初期ノード１３１から送信された、前記前ホップノード１３２のＸ２プロキシ機能として活性化する指示を含むＲＲＣ接続再構成完了メッセージを受信するように構成される。
【０１５８】
前記次ホップノード１３３は、さらに前記初期ノード１３１から送信された、前記前ホップノード１３２のＸ２プロキシ機能として活性化する指示を含むＲＲＣ接続再構成完了メッセージを受信した後、前記前ホップノード１３２とメッセージインタラクションを行って、自体を前記前ホップノード１３２のＸ２プロキシ機能として活性化するように構成される。
【０１５９】
ここで、前記Ｓ１ハンドオーバ応答メッセージは、Ｘ２プロキシ活性化確認指示を含むことができる。
【０１６０】
前記前ホップノードと前記次ホップノードの間で基地局構成更新を行う過程中のメッセージに活性化指示を含ませることによって、前記次ホップノードを前記前ホップノードのＸ２プロキシ機能として活性化する場合、
前記前ホップノード１３２は、前記次ホップノード１３３へ前記前ホップノード１３２のＸ２プロキシ機能として活性化する指示を含む基地局構成更新メッセージを送信し、前記次ホップノード１３３３から返信された基地局構成更新確認メッセージまたは基地局構成更新失敗メッセージを受信するように構成され、
前記次ホップノード１３３は、前記前ホップノード１３２から送信された前記前ホップノード１３２のＸ２プロキシ機能として活性化する指示を含む基地局構成更新メッセージを受信した後、前記前ホップノード１３２へ基地局構成更新確認メッセージまたは基地局構成更新失敗メッセージを返信するように構成される。
【０１６１】
ここで、前記基地局構成更新確認メッセージは、Ｘ２プロキシ活性化確認指示を含むことができ、前記基地局構成更新失敗メッセージは、Ｘ２プロキシ活性化確認指示を含むことができる。
【０１６２】
前記次ホップノード１３３を前記前ホップノード１３２のＸ２プロキシ機能として非活性化する場合、前記前ホップノード１３２は、さらに前記次ホップノード１３３へ前記前ホップノード１３２のＸ２プロキシ機能として非活性化する指示を含むＸ２プロキシ解放／非活性化要求メッセージを送信して、前記次ホップノード１３３を前記前ホップノード１３２のＸ２プロキシ機能として非活性化するように構成され、
前記次ホップノード１３３は、さらに前記前ホップノード１３２から送信された、前記前ホップノード１３２のＸ２プロキシ機能として非活性化する指示を含むＸ２プロキシ解放／非活性化要求メッセージを受信するように構成される、または、
前記前ホップノード１３２は、さらに前記次ホップノード１３３へ前記前ホップノード１３２のＸ２プロキシ機能として非活性化する指示を含む基地局構成更新メッセージを送信し、前記次ホップノード１３３から返信された基地局構成更新確認メッセージまたは基地局構成更新失敗メッセージを受信するように構成され、
前記次ホップノード１３３は、さらに前記前ホップノード１３２から送信された、前記前ホップノード１３２のＸ２プロキシ機能として非活性化する指示を含む基地局構成更新メッセージを受信し、前記前ホップノード１３２へ基地局構成更新確認メッセージまたは基地局構成更新失敗メッセージを返信するように構成される。
【０１６３】
前記次ホップノード１３３は、さらに前記前ホップノード１３２から送信された、前記前ホップノード１３２のＸ２プロキシ機能として非活性化する指示を含むＸ２プロキシ解放／非活性化要求メッセージを受信した後、前記前ホップノード１３２へＸ２プロキシ解放／非活性化応答メッセージを返信するように構成され、
前記前ホップノード１３２は、さらに前記次ホップノード１３３から返信されたＸ２プロキシ解放／非活性化応答メッセージを受信するように構成され、
ここで、前記Ｘ２プロキシ解放／非活性化応答メッセージは、Ｘ２プロキシ非活性化確認指示を含むことができ、
前記基地局構成更新確認メッセージは、Ｘ２プロキシ非活性化確認指示を含むことができ、
前記基地局構成更新失敗メッセージは、Ｘ２プロキシ非活性化確認指示を含むことができる。
【０１６４】
本分野の当業者は、本発明の実施形態が方法、システムまたはコンピュータプログラム製品として提供されることができると理解すべきである。従って、本発明は、ハードウェア実施形態、ソフトウェア実施形態、またはハードウェア実施形態およびソフトウェア実施形態を組み合わせた形態を使用することができる。しかも、本発明は、コンピュータ使用可能プログラムコードを含む１つ以上のコンピュータで使用可能な記憶媒体（磁気ディスク記憶装置と光メモリなどを含むがこれらに限られない）に実施されるコンピュータプログラム製品の形態を使用することができる。
【０１６５】
本発明は、本発明の実施形態による方法、装置（システム）とコンピュータプログラム製品のフローチャートおよび／またはブロック図を参照して説明される。コンピュータプログラム命令によってフローチャートの各プロセスおよび／ブロック、およびフローチャートおよび／ブロックのプロセスおよび／またはブロックの組み合わせを実現することができると理解すべきである。これらのコンピュータプログラム命令を汎用コンピュータ、専用コンピュータ、組み込みプロセッサまたは他のプログラム可能データ処理装置のプロセッサとして１つのマシンを生成することができ、それによってコンピュータまたは他のプログラム可能データ処理装置のプロセッサで実行された命令によりフローチャートの１つのプロセスまたは複数のプロセスおよび／ブロック図における指定された機能を実現するための装置を生成する。
【０１６６】
これらのコンピュータプログラム命令がコンピュータまたは他のプログラム可能データ処理装置が特定のモードで動作することをガイドすることができるコンピュータ可読メモリに記憶されることもでき、それによって、当該コンピュータ可読メモリに記憶された命令により命令装置が含まれる製造品を生成し、当該命令装置がフローチャートの１つ以上のプロセスおよび／またはブロック図の１つ以上のブロックにおける指定された機能を実現する。
【０１６７】
これらのコンピュータプログラム命令がコンピュータまたは他のプログラム可能データ処理装置にロードされることができ、それによってコンピュータまたは他のプログラム可能データ処理装置で実行された命令によりフローチャートの１つ以上のプロセスおよび／またはブロック図の１つ以上のブロックにおける指定された機能を実現するためのステップを提供する。
【０１６８】
上記は、本発明の好ましい実施形態に過ぎなく、本発明の保護範囲を制限することに用いられるものではない。
【図１】
2016511570.tif 000003
【図２】
2016511570.tif 000004
【図３】
2016511570.tif 000005
【図５】
2016511570.tif 000006
【図６】
2016511570.tif 000007
【図７】
2016511570.tif 000008
【図８】
2016511570.tif 000009
【図９】
2016511570.tif 000010
【図１０】
2016511570.tif 000011
【図１１】
2016511570.tif 000012
【図１２】
2016511570.tif 000013
【図１３】
2016511570.tif 000014
【図４】
2016511570.tif 000015
【手続補正書】
【提出日】平成27年9月29日(2015.9.29)
【手続補正１】
【補正対象書類名】特許請求の範囲
【補正対象項目名】全文
【補正方法】変更
【補正の内容】
【特許請求の範囲】
【請求項１】
Ｘ２プロキシを実現する方法であって、
次ホップノードを前ホップノードのＸ２プロキシ機能として活性化することと、
前記前ホップノードと前記次ホップノードを含む二つ以上のＸ２プロキシを介して、初期ノードとターゲットノードの間でＸ２メッセージのインタラクションを実現することとを含む、前記方法。
【請求項２】
次ホップノードを前ホップノードのＸ２プロキシ機能として活性化することは、
前記前ホップノードと前記次ホップノードの間でＸ２接続を確立する過程中のメッセージに活性化指示を含ませることによって、前記次ホップノードを前記前ホップノードのＸ２プロキシ機能として活性化すること、または、
前記開始ノードで前記前ホップノードから前記次ホップノードにハンドオーバする過程中のメッセージに活性化指示を含ませることによって、前記次ホップノードを前記前ホップノードのＸ２プロキシ機能として活性化すること、または、
前記前ホップノードと前記次ホップノードの間で基地局構成更新を行う過程中のメッセージに活性化指示を含ませることによって、前記次ホップノードを前記前ホップノードのＸ２プロキシ機能として活性化することを含むことを特徴とする
請求項１に記載の方法。
【請求項３】
前記前ホップノードと前記次ホップノードの間でＸ２接続を確立する過程中のメッセージに活性化指示を含ませることによって、前記次ホップノードを前記前ホップノードのＸ２プロキシ機能として活性化することは、
前記前ホップノードが前記次ホップノードへ前記前ホップノードのＸ２プロキシ機能として活性化する指示を含むＸ２確立要求メッセージを送信し、
前記次ホップノードがＸ２確立要求メッセージを受信した後、前記前ホップノードへＸ２確立応答メッセージを返信することである、または、
前記ハンドオーバ過程がＸ２ハンドオーバ過程であり、前記初期ノードで前記前ホップノードから前記次ホップノードにハンドオーバする過程中のメッセージに活性化指示を含ませることによって、前記次ホップノードを前記前ホップノードのＸ２プロキシ機能として活性化することは、
前記前ホップノードが前記次ホップノードへ前記前ホップノードのＸ２プロキシ機能として活性化する指示を含むＸ２ハンドオーバ要求メッセージを送信し、
前記次ホップノードがＸ２ハンドオーバ要求メッセージを受信した後、前記前ホップノードへＸ２ハンドオーバ応答メッセージを返信すること、または、
前記初期ノードが前記次ホップノードへ前記前ホップノードのＸ２プロキシ機能として活性化する指示を含む無線リソース制御プロトコル（ＲＲＣ）接続再構成完了メッセージを送信することである、または、
前記ハンドオーバ過程がＳ１ハンドオーバ過程であり、前記初期ノードで前記前ホップノードから前記次ホップノードにハンドオーバする過程中のメッセージに活性化指示を含ませることによって、前記次ホップノードを前記前ホップノードのＸ２プロキシ機能として活性化することは、
前記前ホップノードが順次に前記初期ノードのソース移動管理エンティティ（ＭＭＥ）および前記初期ノードのターゲットＭＭＥを介して、前記次ホップノードへ前記前ホップノードのＸ２プロキシ機能として活性化する指示を含むＳ１ハンドオーバ要求メッセージを送信し、
前記次ホップノードがＳ１ハンドオーバ要求メッセージを受信した後、順次に前記ターゲットＭＭＥおよび前記ソースＭＭＥを介して、前記前ホップノードへＳ１ハンドオーバ応答メッセージを返信すること、または、
前記初期ノードが前記次ホップノードへ前記前ホップノードのＸ２プロキシ機能として活性化する指示を含むＲＲＣ接続再構成完了メッセージを送信することである、または、
前記前ホップノードと前記次ホップノードの間で基地局構成更新を行う過程中のメッセージに活性化指示を含ませることによって、前記次ホップノードを前記前ホップノードのＸ２プロキシ機能として活性化することは、
前記前ホップノードが前記次ホップノードへ前記前ホップノードのＸ２プロキシ機能として活性化する指示を含む基地局構成更新メッセージを送信し、
前記次ホップノードが基地局構成更新メッセージを受信した後、前記前ホップノードへ基地局構成更新確認メッセージまたは基地局構成更新失敗メッセージを返信することであることを特徴とする
請求項２に記載の方法。
【請求項４】
前記Ｘ２確立応答メッセージは、Ｘ２プロキシ活性化確認指示を含み、
前記Ｘ２ハンドオーバ応答メッセージは、Ｘ２プロキシ活性化確認指示を含み、
前記Ｓ１ハンドオーバ応答メッセージは、Ｘ２プロキシ活性化確認指示を含み、
前記基地局構成更新確認メッセージは、Ｘ２プロキシ活性化確認指示を含み、
前記基地局構成更新失敗メッセージは、Ｘ２プロキシ活性化確認指示を含むことを特徴とする
請求項３に記載の方法。
【請求項５】
前記前ホップノードと前記次ホップノードを含む二つ以上のＸ２プロキシを介して、初期ノードとターゲットノードの間でＸ２メッセージのインタラクションを実現することは、
前記初期ノードが第一のホップノードへＸ２メッセージを送信することと、
前記第一のホップノードが、受信されたＸ２メッセージに対してＸ２プロキシ処理を行い、そして第二のホップノードへ対応するＸ２メッセージを送信し、最後のホップノードが受信されたＸ２メッセージに対してＸ２プロキシ処理を行い、そして前記ターゲットノードへ対応するＸ２メッセージを送信するまで、これによって類推すること、および／または、
前記最後のホップノードが受信された前記ターゲットノードからのＸ２メッセージに対してＸ２プロキシ処理を行い、そして最後から２番目のホップノードへ対応するＸ２メッセージを送信し、前記第一のホップノードが受信されたＸ２メッセージに対してＸ２プロキシ処理を行い、そして前記初期ノードへ対応するＸ２メッセージを送信するまで、これによって類推することを含むことを特徴とする
請求項１〜３のいずれか１項に記載の方法。
【請求項６】
前記受信されたＸ２メッセージに対してＸ２プロキシ処理を行うことは、
ユーザ装置（ＵＥ）に新しいアプリケーション層識別子を割り当てて、受信されたＸ２メッセージにおけるＵＥのアプリケーション層識別子の代わりに自体に割当てられたアプリケーション層識別子を使用すること、および／または、
受信されたＸ２メッセージにおけるソースノード識別子の代わりに自ノード識別子を使用すること、および／または、
受信されたＸ２メッセージにおけるソースノードインターネットプロトコル（ＩＰ）アドレスの代わりに自ノードＩＰアドレスを使用することを含むことを特徴とする
請求項５に記載の方法。
【請求項７】
前記ターゲットノードのタイプは、発展型基地局（ｅＮＢ）、中継ノード（ＲＮ）、移動中継（ＭＲ）、ホーム基地局（ＨｅＮＢ）およびマイクロ基地局を含む、または、
前記方法は、前記次ホップノードを前記前ホップノードのＸ２プロキシ機能として非活性化することをさらに含むことを特徴とする
請求項１〜３のいずれか１項に記載の方法。
【請求項８】
前記次ホップノードを前記前ホップノードのＸ２プロキシ機能として非活性化することは、
前記前ホップノードが前記次ホップノードへ前記前ホップノードのＸ２プロキシ機能として非活性化する指示を含むＸ２プロキシ解放／非活性化要求メッセージを送信すること、または、
前記前ホップノードと前記次ホップノードの間で基地局構成更新を行う過程中のメッセージに非活性化指示を含ませることによって、前記次ホップノードを前記前ホップノードのＸ２プロキシ機能として非活性化することを含むことを特徴とする
請求項７に記載の方法。
【請求項９】
前記次ホップノードが前記前ホップノードのＸ２プロキシ機能として非活性化する指示を含むＸ２プロキシ解放／非活性化要求メッセージを受信した後、前記前ホップノードへＸ２プロキシ解放／非活性化応答メッセージを返信することをさらに含む、または、
前記前ホップノードと前記次ホップノードの間で基地局構成更新を行う過程中のメッセージに非活性化指示を含ませることによって、前記次ホップノードを前記前ホップノードのＸ２プロキシ機能として非活性化することは、
前記前ホップノードが前記次ホップノードへ前記前ホップノードのＸ２プロキシ機能として非活性化する指示を含む基地局構成更新メッセージを送信し、
前記次ホップノードが基地局構成更新メッセージを受信した後、前記前ホップノードへ基地局更新確認メッセージまたは基地局構成更新失敗メッセージを返信することであることを特徴とする
請求項８に記載の方法。
【請求項１０】
前記Ｘ２プロキシ解放／非活性化応答メッセージは、Ｘ２プロキシ非活性化確認指示を含む、または、
前記基地局構成更新確認メッセージは、Ｘ２プロキシ非活性化確認指示を含み、
前記基地局構成失敗メッセージは、Ｘ２プロキシ非活性化確認指示を含むことを特徴とする
請求項９に記載の方法。
【請求項１１】
Ｘ２プロキシを実現するシステムであって、初期ノード、前ホップノード、次ホップノードおよびターゲットノードを含み、
初期ノードは、前記前ホップノードおよび前記前ホップノードのＸ２プロキシ機能として活性化された次ホップノードを含む二つ以上のＸ２プロキシを介して、前記ターゲットノードとのＸ２メッセージのインタラクションを実現するように構成される、前記システム。
【請求項１２】
前記前ホップノードと前記次ホップノードの間でＸ２接続を確立する過程中のメッセージに活性化指示を含ませることによって、前記次ホップノードを前記前ホップノードのＸ２プロキシ機能として活性化する場合、前記前ホップノードは、前記次ホップノードへ前記前ホップノードのＸ２プロキシ機能として活性化する指示を含むＸ２確立要求メッセージを送信し、そして前記次ホップノードから送信されたＸ２確立応答メッセージを受信するように構成され、
前記次ホップノードは、前記前ホップノードから送信された、前記前ホップノードのＸ２プロキシ機能として活性化する指示を含むＸ２確立要求メッセージを受信した後、前記前ホップノードへＸ２確立応答メッセージを返信するように構成される、または、
前記初期ノードで前記前ホップノードから前記次ホップノードにハンドオーバする過程中のメッセージに活性化指示を含ませることによって、前記次ホップノードを前記前ホップノードのＸ２プロキシ機能として活性化し、且つ前記ハンドオーバ過程がＸ２ハンドオーバ過程である場合、前記前ホップノードは、前記次ホップノードへ前記前ホップノードのＸ２プロキシ機能として活性化する指示を含むＸ２ハンドオーバ要求メッセージを送信し、そして前記次ホップノードから返信されたＸ２ハンドオーバ応答メッセージを受信するように構成され、
前記次ホップノードは、前記前ホップノードから送信された、前記前ホップノードのＸ２プロキシ機能として活性化する指示を含むＸ２ハンドオーバ要求メッセージを受信した後、前記前ホップノードへＸ２ハンドオーバ応答メッセージを返信するように構成される、または、
前記初期ノードは、さらに前記次ホップノードへ前記前ホップノードのＸ２プロキシ機能として活性化する指示を含むＲＲＣ接続再構成完了メッセージを送信するように構成され、
前記次ホップノードは、前記初期ノードから送信された前記前ホップノードのＸ２プロキシ機能として活性化する指示を含むＲＲＣ接続再構成完了メッセージを受信するように構成される、または、
前記初期ノードで前記前ホップノードから前記次ホップノードにハンドオーバする過程中のメッセージに活性化指示を含ませることによって、前記次ホップノードを前記前ホップノードのＸ２プロキシ機能として活性化し、且つ前記ハンドオーバ過程がＳ１ハンドオーバ過程である場合、前記システムは、ソースＭＭＥおよびターゲットＭＭＥをさらに含み、
前記前ホップノードは、順次に前記ソースＭＭＥおよび前記ターゲットＭＭＥを介して、前記次ホップノードへ前記前ホップノードのＸ２プロキシ機能として活性化する指示を含むＳ１ハンドオーバ要求メッセージを送信し、そして前記次ホップノードが順次に前記ターゲットＭＭＥおよび前記ソースＭＭＥを介して返信したＳ１ハンドオーバ応答メッセージを受信するように構成され、
前記次ホップノードは、前記前ホップノードが順次に前記ソースＭＭＥおよび前記ターゲットＭＭＥを介して送信した、前記前ホップノードのＸ２プロキシ機能として活性化する指示を含むＳ１ハンドオーバ要求メッセージを受信した後、順次に前記ターゲットＭＭＥおよび前記ソースＭＭＥを介して、前記前ホップノードへＳ１ハンドオーバ応答メッセージを返信するように構成される、または、
前記初期ノードは、さらに前記次ホップノードへ前記前ホップノードのＸ２プロキシ機能として活性化する指示を含むＲＲＣ接続再構成完了メッセージを送信するように構成され、
前記次ホップノードが前記初期ノードから送信された、前記前ホップノードのＸ２プロキシ機能として活性化する指示を含むＲＲＣ接続再構成完了メッセージを受信するように構成される、または、
前記前ホップノードと前記次ホップノードの間で基地局構成更新を行う過程中のメッセージに活性化指示を含ませることによって、前記次ホップノードを前記前ホップノードのＸ２プロキシ機能として活性化する場合、前記前ホップノードは、前記次ホップノードへ前記初期ＤｅＮＢのＸ２プロキシ機能として活性化する指示を含む基地局構成更新メッセージを送信し、そして前記次ホップノードから返信された基地局構成更新確認メッセージまたは基地局構成更新失敗メッセージを受信するように構成され、
前記次ホップノードは、前記前ホップノードから送信された、前記前ホップノードのＸ２プロキシ機能として活性化する指示を含む基地局構成更新メッセージを受信した後、前記前ホップノードへ基地局構成更新確認メッセージまたは基地局構成更新失敗メッセージを返信するように構成されることを特徴とする
請求項１１に記載のシステム。
【請求項１３】
前記次ホップノードを前記前ホップノードのＸ２プロキシ機能として非活性化する場合、前記前ホップノードは、さらに前記次ホップノードへ前記前ホップノードのＸ２プロキシ機能として非活性化する指示を含むＸ２プロキシ解放／非活性化要求メッセージを送信するように構成され、
前記次ホップノードは、さらに前記前ホップノードから送信された、前記前ホップノードのＸ２プロキシ機能として非非活性化する指示を含むＸ２プロキシ解放／非活性化要求メッセージを受信するように構成される、または、
前記前ホップノードは、さらに前記次ホップノードへ前記前ホップノードのＸ２プロキシ機能として非活性化する指示を含む基地局構成更新メッセージを送信し、そして前記次ホップノードから返信された基地局構成更新確認メッセージまたは基地局更新失敗メッセージを受信するように構成され、
前記次ホップノードは、さらに前記前ホップノードから送信された、前記前ホップノードのＸ２プロキシ機能として非活性化する指示を含む基地局構成更新メッセージを受信した後、前記前ホップノードへ基地局構成更新確認メッセージまたは基地局構成更新失敗メッセージを返信するように構成されることを特徴とする
請求項１１または請求項１２に記載のシステム。
【請求項１４】
前記次ホップノードは、さらに前記前ホップノードへＸ２プロキシ解放／非活性化応答メッセージを返信するように構成され、
前記前ホップノードは、さらに前記次ホップノードから返信されたＸ２プロキシ機能解放／非活性化応答メッセージを受信するように構成されることを特徴とする
請求項１３に記載のシステム。
【請求項１５】
コンピュータ記憶媒体であって、一組の命令を含み、前記命令を実行する場合、少なくとも１つのプロセッサが請求項１〜１０のいずれか１項に記載されたＸ２プロキシを実現する方法を実行することを引き起こす前記コンピュータ記憶媒体。
【国際調査報告】
2016511570.tif 000016
2016511570.tif 000017
2016511570.tif 000018
2016511570.tif 000019